(57)【要約】      （修正有）【課題】正確な排出物試験を行うための排気サンプル収集用装置および方法を提供する。【解決手段】排出物試験システムは、希釈トンネル、クリーン回路、ダーティ回路、およびサンプリング制御モジュールを含む。希釈トンネルは、エンジンからの排気ガスおよび希釈ガス源からの希釈ガスを受け取るように構成されている。クリーン回路は希釈トンネルからガスを受け取るように構成されている。ダーティ回路は、クリーン回路とは無関係に希釈トンネルからガスを受け取るように構成されている。サンプリング制御モジュールは、第１の試験段階の開始時にエンジンが停止しているときに希釈トンネルからダーティ回路にガスを振り向けるように構成されている。サンプリング制御モジュールは、第１の試験段階中にエンジンがスイッチオンにされたときに、第１の試験段階の終わりに希釈トンネルからクリーン回路にガスを振り向けるように構成されている。【選択図】図１
2020003491.tif 000002
【特許請求の範囲】
【請求項１】
エンジン(116)からの排気ガスおよび希釈ガス源からの希釈ガスを受け取るように構成された希釈トンネル(102)と、
前記希釈トンネル(102)からガスを受け取るように構成されたクリーン回路(110)と、
前記クリーン回路(110)とは独立して前記希釈トンネル(102)からガスを受け取るように構成されたダーティ回路(112)と、
前記希釈トンネル(102)から前記クリーン回路(110)および前記ダーティ回路(112)のうちの一方にガスを誘導させ、前記エンジン(116)の運転条件に基づいて、前記クリーン回路(110)および前記ダーティ回路(112)のうちの一方に対するガスの誘導を停止させ、前記クリーン回路(110)および前記ダーティ回路(112)のうちの他方に対するガスの誘導を開始させるサンプリング制御モジュール(274)と、
を有することを特徴とする排出物試験システム(100)。
【請求項２】
前記エンジンの運転条件は、前記エンジン(116)に掛かる負荷および前記エンジン(116)によって発生した排気の温度のうちの少なくとも１つを含むことを特徴とする請求項１に記載の排出物試験システム(100)。
【請求項３】
前記サンプリング制御モジュール(274)は、
前記エンジン(116)の負荷が第１の負荷より小さい場合には、前記希釈トンネル(102)から前記クリーン回路(110)にガスを誘導させ、
前記エンジン(116)の負荷が前記第１の負荷より大きい場合には、前記希釈トンネル(102)から前記クリーン回路(110)へのガスの誘導を停止させ、前記希釈トンネル(102)から前記ダーティ回路(112)へのガスの誘導を開始させるように構成されることを特徴とする請求項２に記載の排出物試験システム(100)。
【請求項４】
前記サンプリング制御モジュール(274)は、
排気温度が第１の温度より低い場合には、前記希釈トンネル(102)から前記クリーン回路(110)にガスを誘導させ、
前記排気温度が前記第１の温度より高い場合には、前記希釈トンネル(102)から前記クリーン回路(110)へのガスの誘導を停止させ、前記希釈トンネル(102)から前記ダーティ回路(112)へのガスの誘導を開始させるように構成されることを特徴とする請求項２に記載の排出物試験システム(100)。
【請求項５】
前記クリーン回路(110)は、クリーン収集器(144,146)と、前記希釈トンネル(102)から前記クリーン収集器(144,146)にガスを供給するように構成されたクリーン供給ライン(126)とを含み、
前記ダーティ回路(112)は、ダーティ収集器(152,154)と、前記希釈トンネル(102)から前記ダーティ収集器(152,154)にガスを供給するように構成されたダーティ供給ライン(130)とを含み、
前記ダーティ供給ライン(130)は、前記クリーン供給ライン(126)とは独立して前記希釈トンネル(102)に接続されていることを特徴とする請求項１に記載の排出物試験システム(100)。
【請求項６】
前記サンプリング制御モジュール(274)は、
第１の試験段階の開始時においてエンジン(116)が停止している場合には、前記第１の試験段階中に前記希釈トンネル(102)から前記ダーティ回路(112)に向けてガスを誘導させ、
前記第１の試験段階中にエンジン(116)がスイッチオンされた場合には、前記第１の試験段階後の第２の試験段階中に前記希釈トンネル(102)から前記クリーン回路(110)に向けてガスを誘導させることを特徴とする請求項１に記載の排出物試験システム(100)。
【請求項７】
前記ダーティ回路（１１２）は、第１のダーティ収集器(152)および第２のダーティ収集器(154)を含み、
前記サンプリング制御モジュール(274)は、前記第１試験段階の開始時においてエンジン(116)が停止している場合に、前記希釈トンネル(102)から前記第１のダーティ収集器(152)にガスを誘導するように構成され、
前記サンプリング制御モジュール(274)は、前記第１の試験段階中にエンジン(116)がスイッチオンされていない場合に、前記第２の試験段階の開始時に前記希釈トンネル(102)から前記第２のダーティ収集器(154)に向けてガスを誘導するように構成されることを特徴とする請求項６に記載の排出物試験システム(100)。
【請求項８】
前記第２の試験段階中において、前記サンプリング制御モジュール(274)は、
前記第１のダーティ収集器(152)から排気ライン(140)へガスを排出し、
パージガス源(226)から前記第１のダーティ収集器(152)にパージガスを供給し、
パージガスを前記第１のダーティ収集器(152)から前記排気ライン(140)へ排出するように構成されることを特徴とする請求項７に記載の排出物試験システム(100)。
【請求項９】
前記サンプリング制御モジュール(274)は、
前記第２の試験段階中にエンジン(116)がスイッチオンされた場合には、前記第２の試験段階の終了にて前記希釈トンネル(102)から前記クリーン回路(110)にガスを誘導し、
前記第２の試験段階中にエンジン(116)がスイッチオンされていない場合には、前記第２の試験段階後の第３の試験段階の開始時に前記希釈トンネル(102)から前記第１のダーティ収集器(152)にガスを誘導するように構成されることを特徴とする請求項８に記載の排出物試験システム(100)。
【請求項１０】
前記クリーン回路(110)は、クリーン収集器(144,146)と、前記希釈トンネル(102)から前記クリーン収集器(144,146)にガスを供給するように構成されたクリーン供給ライン(126)とを含み、
前記ダーティ回路(112)は、
前記希釈トンネル(102)から前記第１のダーティ収集器(152)にガスを供給するように構成された第１のダーティ供給ライン(130-1)と、
前記希釈トンネル(102)から前記第２のダーティ収集器(154)にガスを供給するように構成された第２のダーティ供給ライン(130-2)と、
をさらに含み、
前記第１および第２のダーティ供給ライン(130-1, 130-2)は、前記クリーン供給ライン(126)とは独立して前記希釈トンネル(102)に接続されていることを特徴とする請求項７に記載の排出物試験システム(100)。
【請求項１１】
前記クリーン回路(110)は、前記クリーン供給ライン(126)に配置されたクリーン充填弁(148,150)をさらに含み、
前記ダーティ回路(112)は、前記第１のダーティ供給ライン(130-1)に配置された第１のダーティ充填弁(156)と、前記第２のダーティ供給ライン(130-2)に配置された第２のダーティ充填弁(158)とを含むことを特徴とする請求項１０に記載の排出物試験システム(100)。
【請求項１２】
前記サンプリング制御モジュール(274)は、
前記希釈トンネル(102)から前記第１のダーティ収集器(152)にガスを誘導する場合には、前記第１のダーティ充填弁(156)を開け、前記クリーン充填弁(148,150)を閉じ、前記第２のダーティ充填弁(158)を閉じ、
前記希釈トンネル(102)から前記第２のダーティ収集器(154)にガスを誘導する場合には、前記第２のダーティ充填弁(158)を開け、前記クリーン充填弁(148,150)を閉じ、前記第１のダーティ充填弁(156)を閉じ、
前記希釈トンネル(102)から前記クリーン収集器(144,146)にガスを誘導する場合には、前記クリーン充填弁(148,150)を開け、前記第１のダーティ充填弁(156)を閉じ、前記第２のダーティ充填弁(158)を閉じるように構成されることを特徴とする請求項１１に記載の排出物試験システム(100)。
【請求項１３】
前記クリーン回路(110)は、前記クリーン供給ライン(126)に配置されたクリーンポンプ(134)をさらに含み、
前記ダーティ回路(112)は、前記第１および第２のダーティ供給ライン(130-1,130-2)の少なくとも一方に配置されたダーティポンプ(138)をさらに含むことを特徴とする請求項１１に記載の排出物試験システム(100)。
【請求項１４】
前記サンプリング制御モジュール(274)は、
前記希釈トンネル(102)から前記第１および第２のダーティ収集器(152,154)のうちの少なくとも一方にガスを誘導する場合には、前記ダーティポンプ(138)を作動させ、前記クリーンポンプ(134)を非作動とし、
前記希釈トンネル(102)から前記クリーン収集器(144,146)にガスを誘導する場合には、前記クリーンポンプ(134)を作動させ、前記ダーティポンプ(138)を非作動とするように構成されることを特徴とする請求項１３に記載の排出物試験システム(100)。
【請求項１５】
前記クリーン回路(110)は、
前記クリーン収集器(144,146)から排気ライン(140)へのガスの流れを制御するように構成されたクリーン通気弁(212,214)と、
パージガス源（２２６）から前記クリーン収集器(144,146)へのパージガスの流れを制御するように構成されたパージ弁(236,238)と、
前記クリーン収集器(144,146)から分析器(114)へのガスの流れを制御するように構成されたリード弁(164,166)と、
をさらに有し、
前記ダーティ回路(112)は、
前記第１のダーティ収集器(152)から前記排気ライン(140)へのガスの流れを制御するように構成された第１の通気弁(216)と、
前記第２のダーティ収集器(154)から前記排気ライン(140)へのガスの流れを制御するように構成された第２の通気弁(218)と、
前記パージガス源(226)から前記第１のダーティ収集器(152)へのパージガスの流れを制御するように構成された第１のパージ弁(240)と、
前記パージガス源(226)から前記第２のダーティ収集器(154)へのパージガスの流れを制御するように構成された第２のパージ弁(242)と、
をさらに有することを特徴とする請求項１１に記載の排出物試験システム(100)。
【発明の詳細な説明】
【関連出願のためのクロスリファレンス】
【０００１】
本願は、2018年6月22日に仮出願された米国仮出願番号62/688,671の利益を請求するものである。上記に参照された出願の全開示は、参照することにより本明細書に包含される。
【技術分野】
【０００２】
本開示は、排出物試験システムに関し、より詳細にはクリーン及びダーティ排気サンプルを収集するための装置および方法に関する。
【背景技術】
【０００３】
本明細書で提供される背景技術の説明は、本開示の文脈を一般的に提示することを目的としている。本背景技術の欄に記載されている限りにおいて、出願時に先行技術として適格ではない可能性がある説明の態様と同様に、本発明者らの研究は、明示的にも暗示的にも本開示に対する先行技術として認められない。
【０００４】
排出物試験システムは、エンジンで発生した排気ガスを収集し、排気ガス中に含まれる排出物の濃度を測定するものである。ある期間中に測定された排出物の濃度にその期間中の排気ガスの質量流量を掛けることによって、排出物の質量流量が得られる。
【０００５】
定容量サンプリング（ＣＶＳ）システムは、排気ガスの流速を測定することなく排気ガス中に含まれる排出物の質量を決定することを可能にする排出物試験システムの一種であり、これは排出物質量決定を単純化する。ＣＶＳシステムは、典型的には、排気ガスと希釈ガスとが混合される希釈トンネル、希釈トンネルからの希釈排気ガスのサンプルをサンプル収集器に導くサンプルプローブ、および希釈トンネルの下流に配置された送風機（ブロワ）を含む。送風機は希釈トンネルを通して一定量の希釈排気ガスを引き込むものである。希釈排気ガスの流量から希釈ガスの流量を差し引くことによって、排気ガスの流量を決定することができる。
【発明の概要】
【課題を解決するための手段】
【０００６】
本開示による排出物試験システムの第１の例は、希釈トンネル、クリーン回路、ダーティ回路、およびサンプリング制御モジュールを含む。希釈トンネルは、エンジンからの排気ガスおよび希釈ガス源からの希釈ガスを受けいれるように構成される。クリーン回路は、希釈トンネルからのガスを受けいれるように構成される。ダーティ回路は、クリーン回路とは別に独立して希釈トンネルからガスを受け取るように構成される。サンプリング制御モジュールは、第１の試験段階の開始時にエンジンが停止している場合に、希釈トンネルからダーティ回路にガスを誘導するように構成される。サンプリング制御モジュールは、第１の試験段階中にエンジンがオンにされたときに、第１の試験段階の終了にて希釈トンネルからクリーン回路にガスを誘導するように構成される。
【０００７】
一例では、ダーティ回路は第１のダーティ収集器および第２のダーティ収集器を含み、サンプリング制御モジュールは、第１のダーティ収集器の始動時にエンジンが停止している場合に希釈トンネルから第１のダーティ収集器にガスを誘導するように構成される。サンプリング制御モジュールは、第１の試験段階中にエンジンがスイッチオンされていない場合に、第１の試験段階後の第２の試験段階の開始時に希釈トンネルから第２のダーティ収集器にガスを誘導するように構成される。
【０００８】
一例では、第２の試験段階中に、サンプリング制御モジュールは、第１のダーティ収集器から排気ラインへガスを排出させ、パージガス源から第１のダーティ収集器にパージガスを供給させ、第１のダーティ収集器から排気ラインにパージガスを排出させるように構成される。
【０００９】
一例では、サンプリング制御モジュールは、第２の試験段階中にエンジンがスイッチオンされると、第２の試験段階の終了（エンド）にて希釈トンネルからクリーン回路にガスを誘導するように構成される。また、サンプリング制御モジュールは、第２の試験段階中にエンジンがスイッチオンされていない場合に、第２の試験段階の後の第３の試験段階の開始時に希釈トンネルから第１のダーティ収集器にガスを誘導するように構成される。
【００１０】
一例では、クリーン回路は、希釈トンネルからクリーン収集器へガスを供給するように構成されたクリーン収集器およびクリーン供給ラインを含み、ダーティ回路は第１のダーティ供給ラインおよび第２のダーティ供給ラインをさらに含む。第１のダーティ供給ラインは、希釈トンネルから第１のダーティ収集器にガスを供給するように構成される。第２のダーティ供給ラインは、希釈トンネルから第２のダーティ収集器にガスを供給するように構成される。第１および第２のダーティ供給ラインは、クリーン供給ラインとは別に独立して希釈トンネルに接続される。
【００１１】
一例では、クリーン回路は、クリーン供給ラインに配置されたクリーン充填弁をさらに含む。ダーティ回路は、第１のダーティ供給ラインに配置された第１のダーティ充填弁と、第２のダーティ供給ラインに配置された第２のダーティ充填弁とを含む。
【００１２】
一例では、サンプリング制御モジュールは、希釈トンネルからのガスを第１のダーティ収集器に誘導する場合に、第１のダーティ充填弁を開け、クリーン充填弁を閉じ、そして第２ダーティ充填弁を閉じるように構成され、希釈トンネルから第２のダーティ収集器にガスを向ける場合に、第２のダーティ充填弁を開け、クリーン充填バルブを閉じ、第１のダーティ充填弁を閉じるように構成される。また、サンプリング制御モジュールは、希釈トンネルからクリーン収集器にガスを誘導する場合に、クリーン充填弁を開け、第１のダーティ充填弁を閉じ、第２のダーティ充填弁を閉じるように構成される。
【００１３】
一例では、クリーン回路は、クリーン供給ライン内に配置されたクリーンポンプをさらに含み、ダーティ回路は、第１のダーティ供給ラインおよび第２のダーティ供給ラインのうちの少なくとも一方に配置されたダーティポンプをさらに含む。
【００１４】
一例では、サンプリング制御モジュールは、希釈トンネルからのガスを第１および第２のダーティ収集器のうちの少なくとも一方に誘導するときにダーティポンプを作動させ、クリーンポンプを非作動とするように構成される。また、サンプリング制御モジュールは、希釈トンネルからクリーン収集器にガスを誘導する場合に、クリーンポンプを作動させ、ダーティポンプを作動停止させるように構成される。
【００１５】
一例では、クリーン回路は、クリーン通気弁、パージ弁、およびリード弁をさらに含み、ダーティ回路は、第１の通気弁、第２の通気弁、第１のパージ弁、および第２のパージ弁をさらに含む。また、クリーン通気弁は、クリーン収集器から排気ラインへのガスの流れを制御するように構成される。パージ弁は、パージガス源からそれぞれの収集器へのパージガスの流れを制御するように構成される。リード弁は、クリーン収集器から分析器へのガスの流れを制御するように構成される。第１の通気弁は、第１のダーティ収集器から排気ラインへのガスの流れを制御するように構成される。第２の通気弁は、第２のダーティ収集器から排気ラインへのガスの流れを制御するように構成される。第１のパージ弁は、パージガス源から第１のダーティ収集器へのパージガスの流れを制御するように構成される。第２のパージ弁は、パージガス源から第２のダーティ収集器へのパージガスの流れを制御するように構成される。
【００１６】
本開示による排出物試験システムの第２の例は、希釈トンネル、クリーン回路、ダーティ回路、およびサンプリング制御モジュールを含む。希釈トンネルは、エンジンからの排気ガスと希釈ガス源からの希釈ガスとを受け取るように構成される。クリーン回路は、希釈トンネルからガスを受け取るように構成される。ダーティ回路は、クリーン回路とは無関係に希釈トンネルからガスを受け取るように構成される。サンプリング制御モジュールは、希釈トンネルからクリーン回路およびダーティ回路のうちの一方にガスを誘導するように構成される。また、サンプリング制御モジュールは、エンジンの運転条件に基づいて、クリーン回路およびダーティ回路のうちの一方に対するガスの供給を停止させ、クリーン回路およびダーティ回路のうちの他方へのガスの供給を開始するように構成される。
【００１７】
一例では、エンジンの運転条件は、エンジンに掛かる負荷とエンジンで生じる排気の温度とのうちの少なくとも一方を含む。
【００１８】
一例では、サンプリング制御モジュールは、エンジン負荷が第１の負荷よりも小さい場合に、希釈トンネルからクリーン回路にガスを誘導するように構成され、一方、エンジン負荷が第１の負荷よりも大きいときには、希釈トンネルからクリーン回路へのガスの誘導を停止し、希釈トンネルからダーティ回路へのガスの誘導を開始するように構成される。
【００１９】
一例では、サンプリング制御モジュールは、排気温度が第１の温度より低い場合に、希釈トンネルからクリーン回路にガスを誘導するように構成される一方で、排気温度が第１の温度よりも高い場合には、希釈トンネルからクリーン回路へのガスの誘導を停止し、希釈トンネルからダーティ回路へのガスの誘導を開始するように構成される。
【００２０】
一例では、クリーン回路はクリーン収集器およびクリーン供給ラインを含み、ダーティ回路はダーティ収集器およびダーティ供給ラインを含む。クリーン供給ラインは、希釈トンネルからクリーン収集器にガスを供給するように構成される。ダーティ供給ラインは、希釈トンネルからダーティ収集器にガスを供給するように構成される。このダーティ供給ラインは、クリーン供給ラインとは無関係に希釈トンネルに接続される。
【００２１】
一例では、サンプリング制御モジュールは、第１の試験段階の開始時にエンジンが停止しているときに、第１の試験段階中に希釈トンネルからダーティ回路にガスを誘導するように構成される一方で、第１の試験段階中にエンジンがスイッチオンされたときには、第１の試験段階後の第２の試験段階中に希釈トンネルからクリーン回路にガスを誘導するように構成される。
【００２２】
本開示による排出物試験システムの第３の例は、希釈トンネル、第１の収集器、第２の収集器、およびサンプリング制御モジュールを含む。希釈トンネルは、エンジンからの排気ガスと希釈ガス源からの希釈ガスとを受けいれるように構成される。第１の収集器は、希釈トンネルからガスを収集するように構成される。第２の収集器は、希釈トンネルからガスを収集するように構成されている。サンプリング制御モジュールは、試験スケジュールの第１の試験段階中に、希釈トンネルから第１の収集器へガスを導き、希釈トンネルから第２の収集器へのガスの流れを阻止するように構成される。また、サンプリング制御モジュールは、試験スケジュールの第２の試験段階中に、希釈トンネルから第２の収集器へガスを導き、希釈トンネルから第１の収集器へのガスの流れを阻止するように構成される。また、サンプリング制御モジュールは、試験スケジュールの第３の試験段階中に、希釈トンネルから第１の収集器へガスを導き、希釈トンネルから第２の収集器へのガスの流れを阻止するように構成される。
【００２３】
一例では、第２の試験段階中に、サンプリング制御モジュールは、第１の収集器から排気ラインへガスを排出し、パージガス源から第１の収集器にパージガスを供給し、第１の収集器から排気ラインにパージガスを排出するように構成される。
【００２４】
一例では、排出物試験システムは、第１の供給ラインと、第１の供給ラインに配置された第１の充填弁と、第２の供給ラインと、第２の供給ラインに配置された第２の充填弁とをさらに含む。第１の供給ラインは、希釈トンネルから第１の収集器へガスを供給するように構成されている。第２の供給ラインは、希釈トンネルから第２の収集器にガスを供給するように構成される。
【００２５】
一例では、排出物試験システムは、第１の通気弁、第１のパージ弁、第１のリード弁、第２の通気弁、第２のパージ弁、および第２のリード弁をさらに含む。第１の通気弁は、第１の収集器から排気ラインへのガスの流れを制御するように構成される。第１のパージ弁は、パージガス源から第１の収集器へのパージガスの流れを制御するように構成される。第１のリード弁は、第１の収集器から分析器へのガスの流れを制御するように構成される。第２の通気弁は、第２の収集器から排気ラインへのガスの流れを制御するように構成される。第２のパージ弁は、パージガス源から第２の収集器へのパージガスの流れを制御するように構成される。第２のリード弁は、第２の収集器から分析器へのガスの流れを制御するように構成される。
【００２６】
本開示のさらなる適用分野は、詳細な説明、特許請求の範囲および図面から明らかになる。詳細な説明および特定の実施例は、例示のみを目的としており、本開示の範囲を限定することを意図していない。
【図面の簡単な説明】
【００２７】
本開示は、詳細な説明および添付の図面からより完全に理解されるところである。
【図１】図１は、本開示による例示的な排出物試験システムの機能ブロック図である。
【図２】図２は、本開示による例示的な試験システム制御モジュールの機能ブロック図である。
【図３】図３は、クリーン排気サンプルおよびダーティ排気サンプルを収集するための例示的な方法を示すフローチャートである。
【図４】図４は、クリーン排気サンプルおよびダーティ排気サンプルを収集するための例示的な方法を示すフローチャートである。
【図５】図５は、クリーン排気サンプルおよびダーティ排気サンプルを収集するための例示的な方法を示すフローチャートである。
【００２８】
図面において、参照符号は、類似のおよび／または同一の要素を識別するために再使用されることがある。
【発明を実施するための形態】
【００２９】
ＣＶＳシステムのような排出物試験システムは、エンジンで発生した排気ガスを希釈ガスと混合し、希釈排気ガスのサンプルを収集し、希釈排気ガスサンプル中の排出物の濃度を測定する。エンジンを始動させると、エンジンによって生成される排出物の量は通常よりも多くなり、希釈された排気ガスサンプルを収集するために使用される機器（例えば、ライン、バルブ、ポンプ、サンプル収集器）を汚染するおそれがある。装置が汚染されると、その装置を使用して収集された希釈排気サンプルの分析が正確にならないおそれがある。
【００３０】
この問題に対処するために、いくつかの排出物試験システムでは、エンジンが始動するまで、そしてそれから希釈排気サンプルを専用の「ダーティ」回路を用いて収集し、エンジン始動後に専用の「クリーン」回路を用いて希釈排気サンプルを収集する。クリーン回路およびダーティ回路のそれぞれは、サンプル収集器と、希釈トンネルからサンプル収集器まで延びるラインと、希釈トンネルから希釈トンネルへの希釈排気ガスの流れを制御するためにライン内に配置されたバルブおよび／またはポンプと、を含むことができる。したがって、クリーン回路とダーティ回路とは、互いに完全に独立した希釈トンネルから希釈された排気ガスサンプルを収集することがあり得る。結果として、クリーン回路は、エンジン始動時にエンジンで生成される排出物によって汚染されないため、低レベルの排出物を測定するときにクリーン回路を用いて希釈排気ガスサンプルを収集することができる。
【００３１】
非ハイブリッド車の排出ガス量を評価する場合、エンジンは試験スケジュールの間の既知の時間に始動する。例えば、試験スケジュールは複数の試験段階を含むことができ、試験スケジュールはエンジンが第１の試験段階中に始動されることになることを指定することができる。この例では、クリーン回路とダーティ回路を有する排出物試験システムは、通常、第１の試験段階中にダーティ回路を用いて希釈排ガスを収集し、次いで第１の試験段階後の各試験段階についてクリーン回路を用いて希釈排ガスを収集する。試験段階は、試験スケジュールのうち、その間に排気ガスがサンプル収集器に収集される部分である。
【００３２】
これに対して、ハイブリッド自動車によって排出される排出物の量を評価する場合には、エンジンが始動する試験スケジュールの間の時間は未知である。これは、試験スケジュールが時間に対する車速を指定し、指定された車速が高い場合および／または車両内のバッテリの充電状態が低い場合を除き、エンジンが指定された車速を達成することを要求されないからである。このため、排気サンプルをクリーン回路とダーティ回路とに分離するという戦略は、通常、ハイブリッド自動車には採用されず、ハイブリッド自動車から排気ガスサンプルを収集するために使用される排出物試験システムが汚染されるようになる可能性がある。
【００３３】
この問題に対処するために、本開示による装置および方法は、試験スケジュール中にエンジンがいつ始動されるかを決定し、この情報を使用して、排気ガスサンプルをクリーン回路またはダーティ回路に向けるかどうかを決定する。一例では、本開示の装置および方法は、エンジンが始動される前の各試験段階中およびエンジンが始動される試験段階中にダーティ回路を用いて排気ガスサンプルを収集する。本開示の装置および方法は、エンジンが始動される試験段階の後の各試験段階についてクリーン回路を用いて排気ガスサンプルを収集する。本開示の装置および方法は、以下で論じるように、エンジンで生成される排気ガスの圧力に基づいてエンジンがいつ始動されるかを決定することができる。
【００３４】
さらに、各試験段階中に排気サンプルを収集するために異なるサンプル収集器を用いる代わりに、本開示の装置および方法では、排気ガスサンプルを収集するために使用した後に各サンプル収集器をパージし、次いでサンプル収集器を再使用する。その結果として、試験スケジュールを実行するために必要とされるサンプル収集器の数を減らすことができる。試験スケジュール中にエンジンがいつ始動するかは不明であるため、これはハイブリッド車に関連して特に有益である。このため、試験スケジュールには５つの段階があり、サンプル収集器が試験スケジュール中にパージされて再利用されない場合、クリーン回路およびダーティ回路ごとに５つのサンプル収集器がそれぞれ必要になるおそれがある。これに対して、排気ガスサンプルを収集するために別のサンプル収集器が使用されている間に使用済みのサンプル収集器をパージすることによって、本開示の装置および方法は、試験スケジュール内の試験段階の数にかかわらず、クリーン回路およびダーティ回路のそれぞれにわずか２つのサンプル収集器を有することができる。
【００３５】
ここで図１を参照すると、排出物試験システム１００は、希釈トンネル１０２、上流側送風機１０４、下流側送風機１０６、希釈剤回路１０８、クリーン回路１１０、ダーティ回路１１２、および排出物分析器１１４を含む。希釈トンネル１０２は、エンジン１１６で発生した排気ガスを排気ガス供給ライン１１８を介して受けいれる。排気ガス供給ライン１１８は、エンジン１１６からの排気ガスを希釈トンネル１０２に供給する。
【００３６】
また、希釈トンネル１０２は、希釈ガス供給ライン１２０を介して希釈ガスを受け取る。上流側送風機１０４は、希釈トンネル１０２の上流に配置され、希釈ガスを希釈ガス供給ライン１２０を介して希釈トンネル１０２に送るようになっている。希釈ガスは周囲空気（大気）とすることができ、その場合、上流側送風機１０４は周囲環境から希釈ガスを引き込むことができる。上流側送風機１０４は可変速送風機とすることができ、希釈ガスが希釈トンネル１０２を通って流れる速度を調整するように上流側送風機１０４の風速を調整することができる。追加的に又は代替的に、希釈ガス供給ライン１２０内にバルブ１２２を配置し、バルブ１２２の位置を調節して希釈トンネル１０２を通る希釈ガスの流量を調整することができる。
【００３７】
エンジン１１６からの排気ガスは、希釈トンネル１０２内で希釈ガスによって希釈される。クリーンサンプルプローブ１２４は希釈排ガスのサンプルを抽出するものである。クリーン回路供給ライン１２６は、クリーンサンプルプローブ１２４からのクリーン排ガスサンプルをクリーン回路１１０に供給するものである。同様に、ダーティサンプルプローブ１２８は、希釈された排気ガスのサンプルを抽出するものである。ダーティ供給ライン１３０は、ダーティサンプルプローブ１２８からのダーティ排気ガスサンプルをダーティ回路１１２に供給するものである。
【００３８】
クリーン回路供給ライン１２６内にクリーン抽出弁１３２を配置することができ、クリーン抽出弁１３２の位置を調節して、クリーンサンプルプローブ１２４を通して希釈排気ガスサンプルが引き抜かれる速度を調整することができる。追加的に又は代替的に、クリーン抽出ポンプ１３４をクリーン回路供給ライン１２６に配置し、クリーン抽出ポンプ１３４の速度を調節して、クリーンサンプルプローブを通して希釈排気ガスサンプルが引き抜かれる速度を調整することができる。一例では、クリーン抽出ポンプ１３４を一定速度で作動させ、クリーン抽出弁１３２の位置を調節してクリーンサンプルプローブ１２４を通る希釈排気ガスの抽出速度を調整する。クリーンサンプルプローブ１２４、クリーン回路供給ライン１２６、クリーン抽出弁１３２、およびクリーン抽出ポンプ１３４は、クリーン回路１１０の一部と見なすことができる。
【００３９】
ダーティ回路供給ライン１３０にダーティ抽出バルブ１３６を配置し、ダーティ抽出バルブ１３６の位置を調整して、希釈された排気ガスサンプルがダーティサンプルプローブ１２８を通して引き抜かれる速度を調整することができる。追加的に又は代替的に、ダーティ排出ポンプ１３８がダーティ回路供給ライン１３０に配置され、ダーティ排出ポンプ１３８の速度は、希釈された排気ガスサンプルがダーティサンプルプローブを通して引き抜かれる速度を調整するために調節することができる。一例では、ダーティ抽出ポンプ１３８は一定の速度で動作し、ダーティサンプルプローブ１２８を通る希釈された排気ガスの抽出速度を調整するためにダーティ抽出弁１３６の位置が調節される。ダーティサンプルプローブ１２８、ダーティ回路供給ライン１３０、ダーティ抽出バルブ１３６、およびダーティ抽出ポンプ１３８は、ダーティ回路１１２の一部と見なすことができる。
【００４０】
クリーンサンプルプローブ１２４およびダーティサンプルプローブ１２８のいずれによっても抽出されない希釈排気ガスの部分は、希釈トンネル１０２から希釈トンネル排気ライン１４０を通って大気中に放出される。バルブ１４２を希釈トンネル排気ライン１４０内に配置することができ、バルブ１４２の位置を調節して、希釈排気ガスが希釈トンネル１０２を通って流れる速度を調整することができる。追加的に又は代替的に、下流側送風機１０６を希釈トンネル１０２の下流に配置し、下流側送風機１０６の速度を調節して、希釈排気ガスが希釈トンネル１０２を通って流れる速度を調整することができる。
【００４１】
種々の実施態様では、排出物試験システム１００は、上流側送風機１０４および下流側送風機１０６のうちの一方のみを含み得る。上流側送風機１０４および／または下流側送風機１０６は、希釈トンネル１０２を通して一定量の希釈排気ガスを強制するように制御されてもよい。これに関して、排出物試験システム１００をＣＶＳシステムとすることができる。しかしながら、単一の試験スケジュール中にクリーン回路とダーティ回路との充填を切り替えること、および／またはそれらの回路の収集器を切り替えて再利用することのための本開示の方法は、バッグミニ希釈器などの部分フローシステムにも適用される。
【００４２】
クリーン回路１１０は、クリーンサンプルプローブ１２４によって抽出された希釈排ガスサンプルを収集する第１クリーンサンプル収集器１４４および第２のクリーンサンプル収集器１４６を含む。第１および第２のクリーンサンプル収集器１４４，１４６として、サンプルバッグまたはサンプルフィルタを用いることができる。クリーン回路供給ライン１２６は、希釈排気ガスサンプルをそれぞれ第１および第２のクリーンサンプル収集器１４４，１４６に供給する第１のクリーン供給ライン１２６-１および第２のクリーン供給ライン１２６-２に分割されている。第１のクリーン充填弁１４８を第１のクリーン供給ライン１２６-１に配置することができ、第１のクリーン充填弁１４８を開閉して第２のクリーンサンプル収集器１４６への希釈排気ガスサンプルの流れを許容または阻止することができる。同様に、第２のクリーン充填弁１５０を第２のクリーン供給ライン１２６-２に配置し、第２のクリーン充填弁１５０を開閉して、希釈排気ガスサンプルの第２のクリーンサンプル収集器１４６への流れを許容するかまたは阻止することができる。
【００４３】
ダーティ回路１１２は、ダーティサンプルプローブ１２８によって抽出された希釈排ガスサンプルを収集する第１のダーティサンプル収集器１５２および第２のダーティサンプル収集器１５４を含む。第１および第２のダーティサンプル収集器１５２，１５４として、サンプルバッグまたはサンプルフィルタを用いることができる。ダーティ回路供給ライン１３０は、希釈排気ガスサンプルをそれぞれ第１および第２のダーティサンプル収集器１５２，１５４に供給する第１のダーティ供給ライン１３０-１および第２のダーティ供給ライン１３０-２に分割される。第１のダーティ充填弁１５６を第１のダーティ供給ライン１３０-１に配置し、第１のダーティ充填弁１５６を開閉して第１のダーティサンプル収集器１５２への希釈排ガスサンプルの流れを許容するかまたは阻止するようにしてもよい。同様に、第２のダーティ充填弁１５８を第２のダーティ供給ライン１３０−２に配置し、第２のダーティ充填弁１５８を開閉して第２のダーティサンプル収集器１５４への希釈排ガスサンプルの流れを許容するかまたは阻止するようにしてもよい。
【００４４】
排出物分析器１１４は、第１のクリーンサンプル収集器１４４および第２のクリーンサンプル収集器１４６によって収集された希釈排気ガスサンプルを分析し、排気ガスサンプル中に含まれる排出物の濃度を決定する。希釈排気ガスサンプルは、第１および第２のクリーンサンプル収集器１４４，１４６からクリーンリードライン１６０を介して排出物分析器１１４に送られる。クリーンリードポンプ１６０をクリーンリードライン１６０に配置することができ、クリーンリードポンプ１６２の速度を調節して、希釈された排気ガスサンプルが第１および第２のクリーンサンプル収集器１４４，１４６から排出物分析器１１４へ流れる速度を調整することができる。
【００４５】
クリーンリードライン１６０は、第１および第２のクリーンサンプル収集器１４４，１４６からそれぞれ延びる第１のクリーンリードライン１６０-１および第２のクリーンリードライン１６１-２を含む。第１のクリーンリードライン１６４に第１のクリーンリード弁１６４を配置することができ、第１のクリーンリード弁１６４を開閉して、第１のクリーンサンプル収集器１４４から排出物分析器１１４への希釈排気ガスサンプルの流れを許容または阻止することができる。同様に、第２のクリーンリード弁１６６を第２のクリーンリードライン１６０-２に配置し、第２のクリーンリード弁１６６を開閉して、第２のクリーンサンプル収集器１４６から排出物分析器１１４への希釈排ガスサンプルの流れを許可または阻止することができる。
【００４６】
また、排出物分析器１１４は、第１のダーティサンプル収集器１５２および第２のダーティサンプル収集器１５４によって収集された希釈排気ガスサンプルを分析して、排気ガスサンプル中に含まれる排出物の濃度を決定することができる。希釈排気ガスサンプルは、第１および第２のダーティサンプル収集器１５２，１５４からダーティリードライン１６８を介して排出物分析器１１４に送られる。ダーティリードポンプ１７０をダーティリードライン１６８に配置し、ダーティリードポンプ１７０の速度を調節して、希釈排気ガスサンプルが第１および第２のダーティサンプル収集器１５２，１５４から排出物分析器１１４へ流れる速度を調整することができる。
【００４７】
ダーティリードライン１６８は、第１および第２のクリーンサンプル収集器１４４，１４６からそれぞれ延びる第１のダーティリードライン１６８-１および第２のダーティリードライン１６８-２を含む。第１のダーティリード弁１７２を第１のダーティリードライン１６８-１に配置し、第１のダーティリード弁１７２を開閉して、第１のダーティサンプル収集器１５２から排出物分析器１１４への希釈排ガスサンプルの流れを許容または阻止することができる。同様に、第２のダーティリード弁１７４を第２のダーティリードライン１６８-２に配置し、第２のダーティリード弁１７４を開閉して、第２のダーティサンプル収集器１５４から排出分析器１１４への希釈排ガスサンプルの流れを許容または阻止することができる。
【００４８】
希釈剤回路１０８は、希釈ガス供給ライン１２０を通って流れる希釈ガスのサンプルを収集するための第１の希釈剤サンプル収集器１７６および第２の希釈剤サンプル収集器１７８を含む。希釈剤回路供給ライン１８０は、希釈ガス供給ライン１２０からの希釈ガスサンプルを第１および第２の希釈剤サンプル収集器１７６，１７８にそれぞれ供給する。希釈剤抽出弁１８２を希釈剤回路供給ライン１８０に配置することができ、希釈剤抽出弁１８２の位置を調節して、希釈ガスサンプルが希釈ガス供給ライン１２０から抽出される速度を調整することができる。追加的に又は代替的に、希釈剤抽出ポンプ１８４を希釈剤回路供給ライン１８０に配置し、希釈剤抽出ポンプ１８４の速度を調整して、希釈ガスサンプルが希釈ガス供給ライン１２０から抽出される速度を調整することができる。一例では、希釈剤抽出ポンプ１８４は一定速度で作動され、希釈剤抽出弁１８２の位置は希釈ガスサンプルの抽出速度を調整するために調節される。希釈剤回路供給ライン１８０、希釈剤抽出弁１８２、および希釈剤抽出ポンプ１８４は、希釈剤回路１０８の一部と見なすことができる。
【００４９】
第１および第２の希釈剤サンプル収集器１７６，１７８には、サンプルバッグまたはサンプルフィルタを用いることができる。希釈剤回路供給ライン１８０は、第１および第２の希釈剤サンプル収集器１７６，１７８にそれぞれ希釈ガスサンプルを供給するための第１の希釈剤供給ライン１８０-１および第２の希釈剤供給ライン１８０-２に分岐している。第１の希釈剤充填弁１８６を第１の希釈剤供給ライン１８０-１に配置することができ、第１の希釈剤充填弁１８６を開閉して第１の希釈剤サンプル収集器１７６への希釈ガスサンプルの流れを可能にするか又は阻止することができる。同様に、第２の希釈剤充填弁１８８を第２の希釈剤供給ライン１８０-２に配置することができ、第２の希釈剤充填弁１８８を開閉して第２の希釈剤サンプル収集器１７８への希釈ガスサンプルの流れを可能にするか又は阻止することができる。
【００５０】
排出物分析器１１４は、ガスサンプル中に含まれる排出物の濃度を決定するために、第１および第２の希釈剤サンプル収集器１７６，１７８によって収集された希釈ガスサンプルを分析するものである。排出物分析器１１４は、クリーンサンプルプローブ１２４およびダーティサンプルプローブ１２８によって抽出された希釈排気ガスサンプル中に含まれる排出物の濃度を決定するときに、希釈ガスサンプル中に含まれる排出物の濃度を考慮に入れることができる。例えば、希釈排気ガスサンプル中の希釈ガスの質量が希釈ガスサンプル中の希釈ガスの質量と等しい場合に、排出分析器１１４は、希釈排気ガスサンプル中の排出濃度を希釈排気ガスサンプル中の排出濃度から減算して、希釈排気ガスサンプル中に含まれる排気ガス中の排出濃度を得ることができる。
【００５１】
希釈排気ガスサンプルは、第１および第２の希釈剤サンプル収集器１７６，１７８から希釈剤リードライン１９０を介して排出物分析器１１４に送られる。希釈剤リードポンプ１９２を希釈剤リードライン１９０に配置することができ、希釈剤リードポンプ１９２の速度を調節して、第１および第２の希釈剤サンプル収集器１７６，１７８から排出物分析器１１４へ流れる希釈ガスサンプルの流速を調整することができる。
【００５２】
希釈剤リードライン１９０は、第１および第２の希釈剤サンプル収集器１７６，１７８からそれぞれ延びる第１の希釈剤リードライン１９０-１および第２の希釈剤リードライン１９０-２を含む。第１の希釈剤リードバルブ１９４を第１の希釈剤リードライン１９０-１に配置することができ、第１の希釈剤リードバルブ１９４を開閉して、第１の希釈剤サンプル収集器１７６から排出物分析器１１４への希釈ガスサンプルの流れを可能にするか又は阻止することができる。同様に、第２の希釈剤リードバルブ１９６を第２の希釈剤リードライン１９０-２に配置することができ、第２の希釈剤リードバルブ１９６を開閉して、第２の希釈剤サンプル収集器１７８から排出物分析器１１４への希釈ガスサンプルの流れを可能にするか又は阻止することができる。
【００５３】
排出物試験システム１００は、希釈剤通気ライン１９８、クリーン通気ライン２００、第１および第２の希釈剤サンプル収集器１７６，１７８からのガスサンプルを排出するためのダーティ排出ライン２０２、第１および第２のクリーンサンプル収集器１４４，１４６、ならびに第１および第２のダーティサンプル収集器１５２，１５４をさらに含む。図示の例では、希釈剤通気ライン１９８、クリーン通気ライン２００、およびダーティ通気ライン２０２は、希釈トンネル排出ライン１４０に延びる単一の通気ライン２０４に収束しており、この通気ライン２０４を通してガスサンプルを引き込むための通気ポンプ２０６が通気ライン２０４に配置されている。様々な実施態様において、希釈剤通気ライン１９８、クリーン通気ライン２００、およびダーティ通気ライン２０２は、単一の通気ラインに収束しないことがあり、および／またはガスサンプルを大気中に直接放出することがある。さらに、通気ポンプ２０６の代わりに、通気ポンプ（図示せず）を希釈剤通気ライン１９８、クリーン通気ライン２００、およびダーティ通気ライン２０２のそれぞれに配置することができる。
【００５４】
希釈剤通気ライン１９８は、第１および第２の希釈剤サンプル収集器１７６，１７８からそれぞれ延びる第１の希釈剤通気ライン１９８-１および第２の希釈剤通気ライン１９８-２を含む。第１の希釈剤通気弁２０８を第１の希釈剤通気ライン１９８-１に配置することができ、第１の希釈剤通気弁２０８を開閉して、第１の希釈剤サンプル収集器１７６から希釈トンネル排気ライン１４０への希釈ガスサンプルの流れを可能にするか又は阻止することができる。同様に、第２の希釈剤通気バルブ２１０を第２の希釈剤通気ライン１９８-２に配置することができ、第２の希釈剤通気バルブ２１０を開閉して、第２の希釈剤サンプル収集器から１７８から希釈トンネル排気ライン１４０への希釈ガスサンプルの流れを可能にするか又は阻止することができる。
【００５５】
クリーン通気ライン２００は、第１および第２のクリーンサンプル収集器１４４，１４６からそれぞれ延びる第１のクリーン通気ライン２００-１および第２のクリーン通気ライン２００-２を含む。第１のクリーン通気弁２１２を第１のクリーン通気ライン２００-１に配置することができ、第１のクリーン通気弁２１２を開閉して、第１のクリーンサンプル収集器１４４から希釈トンネル排気ライン１４０への希釈排気ガスサンプルの流れを可能にするか又は阻止することができる。同様に、第２のクリーン通気弁２１４を第２のクリーン通気ライン２００-２に配置することができ、第２のクリーン通気バルブ２１４を開閉して、第２のクリーンサンプル収集器１４６から希釈トンネル排気ライン１４０への希釈排気ガスサンプルの流れを可能にするか又は阻止することができる。
【００５６】
ダーティ通気ライン２０２は、第１および第２のダーティサンプル収集器１５２，１５４からそれぞれ延びる第１のダーティ通気ライン２０２-１および第２のダーティ通気ライン２０２-２を含む。第１のダーティ通気弁２１６を第１のダーティ通気ライン２０２-１に配置することができ、第１のダーティ通気弁２１６を開閉して、第１のダーティサンプル収集器１５２から希釈トンネル排気ライン１４０への希釈排気ガスサンプルの流れを可能にするか又は阻止することができる。同様に、第２のダーティ通気弁２１８を第２のダーティ通気ライン２０２-２に配置することができ、第２のダーティ通気弁２１８を開閉して、第２のダーティサンプル収集器１５４から希釈トンネル排気ライン１４０への希釈排気ガスサンプルの流れを可能にするか又は阻止することができる。
【００５７】
排出物試験システム１００は、希釈剤パージライン２２０、クリーンパージライン２２２、第１および第２の希釈剤サンプル収集器１７６，１７８にパージガスをそれぞれ供給するためのダーティパージライン２２４、第１および第２のクリーンサンプル収集器１４４，１４６、ならびに第１および第２のダーティサンプル収集器１５２，１５４をさらに含む。パージガスには、排気ガスと混合されていない周囲空気のような清浄な気体を用いることができる。パージガスは、パージガス源２２６によって供給される。パージガス源２２６は、単に大気であってもよいし、またはフィルタで濾過して生成された周囲の空気であってもよい。図示の実施形態では、単一のパージライン２２８がパージガス源２２６から延びて希釈剤パージライン２２０、クリーンパージライン２２２、およびダーティパージライン２２４に分岐しており、パージライン２２８を通してガスを送るためのパージポンプ２３０がパージライン２２８に設けられている。様々な実施態様では、希釈剤パージライン２２０、クリーンパージライン２２２、およびダーティパージライン２２４は、互いに独立してパージガス源２２６から延びることができ、パージポンプ２３０の代わりに、希釈剤パージライン２２０、クリーンパージライン２２２、およびダーティパージライン２２４のそれぞれにパージポンプ（図示せず）を配置するようにしてもよい。
【００５８】
希釈剤パージライン２２０は、第１および第２の希釈剤サンプル収集器１７６，１７８にそれぞれ延びる第１の希釈剤パージライン２２０-１および第２の希釈剤パージライン２２０-２を含む。第１の希釈剤パージ弁２３２を第１の希釈剤パージライン２２０-１に配置することができ、第１の希釈剤パージ弁２３２を開閉して、パージガス源２２６から第１の希釈剤サンプル収集器１７６へのパージガスの流れを可能にするか又は阻止することができる。同様に、第２の希釈剤パージ弁２３４を第２希釈剤パージライン２２０-２に配置することができ、第２の希釈剤パージ弁２３４を開閉して、パージガス源２２６から第２の希釈剤サンプル収集器１７８へのパージガスの流れを可能にするか又は阻止することができる。
【００５９】
クリーンパージライン２２２は、第１および第２のクリーンサンプル収集器１４４および１４６にそれぞれ延びる第１および第２のクリーンパージライン２２２-１および２２２-２を含む。第１のクリーンパージ弁２３６を第１のクリーンパージライン２２２-１に配置することができ、第１のクリーンパージ弁２３６を開閉して、パージガス源２２６から第１のクリーンサンプル収集器１４４へのパージガスの流れを可能にするか又は阻止することができる。同様に、第２のクリーンパージ弁２３８を第２のクリーンパージライン２２２-２に配置することができ、第２のクリーンパージ弁２３８を開閉して、パージガス源２２６から第２のクリーンサンプル収集器１４６へのパージガスの流れを可能にするか又は阻止することができる。
【００６０】
ダーティパージライン２２４は、第１および第２のダーティサンプル収集器１５２，１５４にそれぞれ延びる第１のクリーンパージライン２２４-１および第２のクリーンパージライン２２４-２を含む。第１のダーティパージ弁２４０を第１のダーティパージライン２２４-１に配置することができ、第１のダーティパージ弁２４０を開閉して、パージガス源２２６から第１のダーティサンプル収集器１５２へのパージガスの流れを可能にするか又は阻止することができる。同様に、第２のダーティパージ弁２４２を第２のクリーンパージライン２２４-２に配置することができ、第２のダーティパージ弁２４２を開閉して、パージガス源２２６から第２のダーティサンプル収集器１５４へのパージガスの流れを可能にするか又は阻止することができる。
【００６１】
排出物試験システム１００は、排出物試験システム１００の各種センサからの受信信号に基づいて排出物試験システム１００の各種アクチュエータを制御する試験システム制御モジュール２５０をさらに含む。排出物試験システム１００のアクチュエータは、送風機１０４，１０６、バルブ１２２，１３２，１３６，１４２，１４８，１５０，１５６，１５８，１６４，１６６，１７２，１７４，１８６，１８８，１９４，１９６，２０８，２１０，２１２，２１４，２１６，２１８，２３２，２３４，２３６，２３８，２４０，２４２、およびポンプ１３４，１３８，１６２，１７０，１８４，１９２，２０６，２３０を含む。排出物試験システム１００のセンサは、排気温度センサ２５２、排気圧力センサ２５４、希釈ガス流量計２５６、希釈排気流量計２５８、希釈剤サンプル流量計２６０、クリーンサンプル流量計２６２、クリーンサンプル流量計２６２、およびダーティサンプル流量計２６４を含む。これらのうち希釈剤サンプル流量計２６０、クリーンサンプル流量計２６２、およびダーティサンプル流量計２６４は、それぞれ希釈剤回路１０８、クリーン回路１１０、およびダーティ回路１１２の一部と見なすことができる。
【００６２】
試験システム制御モジュール２５０は、排出物試験システム１００のアクチュエータを制御するために種々の制御信号を出力する。すなわち試験システム制御モジュール２５０は、送風機１０４，１０６のそれぞれにブロワ制御信号（図２）を出力する。これらのブロワ制御信号は、それぞれの送風機の目標デューティサイクルまたは目標速度を示す。また、試験システム制御モジュール２５０は、バルブ１２２，１３２，１３６，１４２，１４８，１５０，１５６，１５８，１６４，１６６，１７２，１７４，１８６，１８８，１９４のそれぞれにバルブ制御信号（図２）を出力する。これらのバルブ制御信号はそれぞれのバルブの目標位置を示す。また、試験システム制御モジュール２５０は、ポンプ制御信号（図２）を各ポンプ１３４、１３８、１６２、１７０、１８４、１９２、２０６、２３０に出力する。これらのポンプ制御信号は、それぞれのポンプの目標デューティサイクルまたは目標速度を示す。
【００６３】
排気温度センサ２５２は、排気ガス供給ライン１１８を通って流れる排気ガスの温度を測定し、排気温度を示す排気温度信号（図２）を出力する。排気圧センサ２５４は、排気ガス供給ライン１１８を流れる排気ガスの圧力を測定し、排気圧力を表す排気圧信号（図２）を出力する。排気温度センサ２５２および圧力センサ２５４は、排気温度信号および圧力信号を試験システム制御モジュール２５０にそれぞれ出力する。
【００６４】
希釈ガス流量計２５６は、希釈ガス供給ライン１２０内の希釈ガスの流量を測定し、希釈ガス流量を示す希釈ガス流量信号（図２）を出力する。希釈排気流量計２５８は、希釈トンネル排気ライン１４０内の希釈排気ガスの流量を測定し、希釈排気流量を示す希釈排気流量信号（図２）を出力する。希釈剤サンプル流量計２６０は、希釈剤回路供給ライン１８０を通って流れる希釈ガスサンプルの流量を測定し、希釈剤サンプル流量を示す希釈剤サンプル流量信号（図２）を出力する。クリーンサンプル流量計２６２は、クリーン回路供給ライン１２６を通って流れる希釈排気ガスサンプルの流量を測定し、クリーンサンプル流量を示すクリーンサンプル流量信号（図２）を出力する。ダーティサンプル流量計２６４は、ダーティ回路供給ライン１３０を流れる希釈排気ガスサンプルの流量を測定し、ダーティサンプル流量を示すダーティサンプル流量信号（図２）を出力する。希釈ガス流量計２５６、希釈排気流量計２５８、希釈剤サンプル流量計２６０、クリーンサンプル流量計２６２、およびダーティサンプル流量計２６４は、希釈ガス流量信号、希釈排気流量信号、希釈剤サンプル流量信号、クリーンサンプル流量信号、およびダーティサンプル流量信号を試験システム制御モジュール２５０へそれぞれ出力する。
【００６５】
排出物試験スケジュール中において、試験システム制御モジュール２５０は、上流側送風機１０４を制御して希釈排気ガス１０２を目標流量で希釈トンネル１０２に通すように、かつ／または下流側送風機１０６を制御して希釈排気ガス１０２を目標流量で希釈トンネル１０２に通すように制御する。さらに、試験システム制御モジュール２５０は、バルブ１３２，１４８，１５０を制御して希釈トンネル１０２からの希釈排気ガスの清浄なサンプルを抽出し、清浄なサンプルをクリーンサンプル収集器１４４，１４６に送る。さらに、試験システム制御モジュール２５０は、バルブ１３６、１５６、１５８を制御して、希釈トンネル１０２から希釈排気ガスのダーティサンプルを抽出し、ダーティサンプルをダーティサンプル収集器１５２，１５４に送る。さらに、試験システム制御モジュール２５０は、バルブ１８２，１８６，１８８を制御して、希釈ガス供給ライン１２０から希釈ガスのサンプルを抽出し、希釈剤サンプルを希釈剤サンプル収集器１７６，１７８に送る。試験システム制御モジュール２５０が希釈排気ガスをクリーン及びダーティサンプル収集器１４４，１４６，１５２，１５４のいずれかに振り向ける場合に、試験システム制御モジュール２５０は希釈ガスを希釈剤サンプル収集器１７６，１７８のうちの１つに振り向けることができる。
【００６６】
排出物試験スケジュールは複数の試験段階を含むことができる。例えば、米国環境保護庁（ＥＰＡ）連邦試験手順は、低温始動段階、低温安定化段階、および高温始動段階を含む。各試験段階中において、試験システム制御モジュール２５０は、希釈排気ガスをクリーン及びダーティサンプル収集器１４４，１４６，１５２，１５４のうちの１つに向けることができ、希釈ガスを希釈剤サンプル収集器１７６，１７８のうちの１つに向けることができる。試験システム制御モジュール２５０は、エンジン１１６が始動されたかどうかに基づいて、希釈排気ガスをクリーンサンプル収集器１４４，１４６のうちの１つまたはダーティサンプル収集器１５２，１５４のうちの１つに向けるか否かを決定することができる。エンジン１１６が始動されると、エンジン１１６で発生する排出物の量は通常よりも多くなるので、希釈排気ガスサンプルを収集するために使用される機器（例えば、ポンプ、ライン、およびバルブ）を汚染する可能性がある。このため、試験システム制御モジュール２５０は、エンジン１１６が始動されるまで各試験段階中に希釈排気ガスをダーティサンプル収集器１５２，１５４のうちの１つに振り向け、直後に希釈排気ガスをエンジン１１６が始動される試験段階に続く次の試験段階中にクリーンサンプル収集器１４４，１４６のうちの１つに向けることができる。このようにして、試験システム制御モジュール２５０は、クリーン回路１１０の汚染を最小限に抑制し、それによってクリーン回路１１０によって収集された希釈排気ガスサンプル中の排出物を分析するときの排出物分析器１１４の精度が向上する。
【００６７】
加えて、試験スケジュールの試験段階中にサンプル収集器１４４，１４６，１５２，１５４，１７６，１７８のうちの１つにサンプルが収集された後に、試験システム制御モジュール２５０は、同じ試験スケジュールの別の試験段階中に別のサンプルを収集するために、そのサンプル収集器を再使用できるようにそのサンプル収集器をパージする。本明細書中で使用されるとき、「サンプル収集器をパージする」の語句または同様の語句は、サンプル収集器からサンプルを排出すること（またはサンプルを排出物分析器に送ること）、サンプル収集器にパージガスを送ること、およびサンプル収集器からパージガスを排出すること、を指し示すことがある。試験システム制御モジュール２５０は試験スケジュール中にサンプル収集器１４４，１４６，１５２，１５４，１７６，１７８をパージして再使用するので、試験スケジュールを実行するために必要とされるサンプル収集器１４４，１４６，１５２，１５４，１７６，１７８の数を減らすことができる。
【００６８】
ここで図２を参照してみると、試験システム制御モジュール２５０の実装例は、排気流量モジュール２７０、エンジン状態モジュール２７２、サンプリング制御モジュール２７４、送風機制御モジュール２７６、バルブ制御モジュール２７８、およびポンプ制御モジュール２８０を含んでいる。排気流量モジュール２７０は、排気ガス供給ライン１１８を通って流れる排気ガスの流量を決定し、排気ガス流量を示す信号２８２を出力する。一例では、排気流量モジュール２７０は、希釈排気流量計２５８によって測定された希釈排気流量から希釈ガス流量計２５６によって測定された希釈ガス流量を減算して、排気ガス供給ライン１１８を通って流れる排気ガスの流量を得る。
【００６９】
種々の実施態様では、排気ガス供給ライン１１８を通って流れる排気ガス流量は、エンジン１１６を制御するパワートレイン制御モジュール（図示せず）から得ることができ、および／または排気供給ライン１１８内で直接測定することができる。あるいは代替えとして、排気流量モジュール２７０は、（ｉ）希釈排気流量計２５８によって測定された希釈排気流量の積に等しい排気流量、および（ｉｉ）希釈ガス排出ライン１４０内の同じ排出物濃度に対する排出ガス供給ライン１１８内の排出物（例えば二酸化炭素）の濃度比を設定するようにしてもよい。この濃度比を決定する前に、排気流量モジュール２７０は、希釈トンネル排気ライン１４０内の排出物の濃度から希釈供給ライン１２０内の排出物の濃度を減算することができる。排出物試験システム１００は、希釈供給ライン１２０および／または希釈トンネル排出ライン１４０内の排出物の濃度を測定する１つまたは複数のセンサ（図示せず）を含むことができる。あるいは代替えとして、希釈供給ライン１２０内の排出物の濃度を所定の（例えば、固定の）値とすることができる。
【００７０】
エンジン状態モジュール２７２は、エンジン１１６がオンであるかオフであるかを決定し、そしてそれを示す信号２８４を出力する。エンジン状態モジュール２７２は、パワートレイン制御モジュールからの入力に基づいてエンジン１１６がオンであるかオフであるかを決定するようにしてもよい。追加的または代替的に、エンジン状態モジュール２７２は、排気圧センサ２５４によって出力される排気圧信号内の脈動の大きさおよび／または頻度に基づいて、エンジン１１６がオンであるかオフであるかを判断するようにしてもよい。一例では、エンジン状態モジュール２７２は、排気圧力信号内の脈動の大きさが第１の値よりも大きいときにエンジン１１６がオンであると判定する。他の一例では、エンジン状態モジュール２７２は、排気圧信号内の脈動の頻度が第１の頻度よりも大きいときにエンジン１１６がオンであると判定する。
【００７１】
エンジン１１６内のシリンダ数およびエンジン１１６のアイドル速度に基づいて第１の周波数を予め決定することができる。例えば、エンジン１１６の気筒数とエンジン１１６のアイドル回転数との積以下の値に第１の周波数を設定するようにしてもよい。第１の値もまた予め定められていてもよい。例えば、第１の値は、エンジン１１６のシリンダ内での燃焼事象のためにエンジン１１６で発生する排気ガスの圧力の予想される変化に設定されてもよい。
【００７２】
エンジン状態モジュール２７２は、排気圧力信号出力内の脈動の大きさと周波数の両方に基づいてエンジン１１６がオンであるかオフであるかを判定することができる。例えば、エンジン状態モジュール２７２は、第１の周波数以上の周波数（本明細書ではより高い周波数の脈動と呼ぶ）を有する排気圧信号出力内の脈動を識別し、識別した脈動の大きさの平均値を決定することができる。次いで、エンジン状態モジュール２７２は、より高い周波数の脈動の大きさの平均値が第１の値以上であるときにエンジン１１６がオンであると決定することができる。
【００７３】
ブロワ制御モジュール２７６は、上流側送風機１０４を制御して、希釈された排気ガスを目標流量で希釈トンネル１０２に通過させる。追加的に又は代替的に、ブロワ制御モジュール２７６は、下流側送風機１０６を制御して、目標流量で希釈トンネル１０２を通して希釈された排気ガスを引き込む。ブロワ制御モジュール２７６は、ブロワ制御信号を出力することによって上流側送風機１０４および／または下流側送風機１０６を制御する。上述のように、ブロワ制御信号は、それぞれの送風機の目標デューティサイクルまたは目標速度を示す。ブロワ制御モジュール２７６は、希釈排気流量計２５８によって測定された希釈排気流量と目標流量との間の差を最小にするように、上流側送風機１０４および／または下流側送風機１０６の目標デューティサイクルまたは目標速度を調整することができる。
【００７４】
ブロワ制御モジュール２７６は、試験スケジュールの全期間にわたって希釈排気流量を目標流量に維持するように上流側送風機１０４および／または下流側送風機１０６を制御することができる。このため、ブロワ制御モジュール２７６は、試験スケジュールの最初の試験段階が始まるときに上流側送風機１０４および／または下流側送風機１０６を作動させ、試験スケジュール終了の最後の試験段階のときに上流側送風機１０４および／または下流側送風機１０６を作動停止させる。ブロワ制御モジュール２７６は、試験スケジュールの各試験段階がいつ開始していつ終了するか、および試験段階の順序（例えば、最初、２番目、３番目、最後）を示す試験段階状態信号を受信することができるので、試験スケジュールの開始および終了のときを示すことができる。
【００７５】
バルブ制御モジュール２７８は、希釈トンネル１０２を通る希釈ガスの流量を調整するためにバルブ１２２の位置を調節することができる。追加的に又は代替的に、バルブ制御モジュール２７８は、希釈された排気ガスが希釈トンネル１０２を通って流れる速度を調整するためにバルブ１４２の位置を調節することができる。バルブ制御モジュール２７８は、試験スケジュールの全期間にわたって希釈排気流量を目標流量に維持するようにバルブ１４２の位置を調節することができる。例えば、バルブ制御モジュール２７８は、試験スケジュールの最初の試験段階が始まるときにバルブ１４２を開き、試験スケジュールの最後の試験段階が終了するときにバルブ１４２を閉じる。また、バルブ制御モジュール２７８は、試験スケジュールの各試験段階がいつ開始していつ終了するか、および各試験段階の順序を示す試験段階状態信号を受信することができる。
【００７６】
ユーザ入力（例えば、ユーザがボタンを押すか又はタッチスクリーン上のアイコンに触れる）に応答して試験スケジュールを実行する試験スケジュール実行モジュール（図示せず）によって試験段階状態信号を生成することができる。この試験スケジュール実行モジュールは、試験システム制御モジュールに含まれるようにしてもよく、あるいは試験システム制御モジュールと交信する別個のモジュールとしてもよい。試験スケジュール実行モジュールは、複数の試験スケジュールを記憶し、ユーザ入力に基づいて複数の試験スケジュールのうちから実行する試験スケジュールを選択することができるようになっている。各試験スケジュールは、所定数の試験段階を含むことができる。各試験段階は、所定の期間を有してもよく、および／または時間に対する目標車両速度を指定するようにしてもよい。
【００７７】
試験段階状態信号は、各試験段階がいつ開始していつ終了するのか、および各試験段階の順序をそれぞれ示すことに加えて、時間に対する目標車両速度を示すことができる。試験スケジュールモジュールは、試験段階ステータス信号をパワートレイン制御モジュールに出力することができ、パワートレイン制御モジュールは、試験スケジュールに従って車両（図示せず）を推進するようにエンジン１１６および／または電気モータ（図示せず）を制御することができる。また、試験スケジュールモジュールは、試験位相状態信号をダイナモメータ制御モジュール（図示せず）に出力することができ、ダイナモメータ制御モジュール（図示せず）を制御してエンジン１１６および／または車両の車輪に掛かる負荷を調整することができる。例えば、試験位相状態信号は、時間に対する道路等級（ロードグレード）の変化を示してもよく、ダイナモメータ制御モジュールは、道路等級におけるこれらの変化をシミュレーションするためにエンジン１１６および／または車輪に掛かる負荷を調整するようにしてもよい。
【００７８】
サンプリング制御モジュール２７４は、試験スケジュールの各試験段階中においてサンプルガスを各種サンプル収集器１４４、１４６、１５２、１５４、１７６、１７８に振り向けるために、バルブ制御モジュール２７８およびポンプ制御モジュール２８０の動作を調整する。加えて、サンプリング制御モジュール２７４は、試験スケジュールの様々な試験段階中においてサンプル収集器１４４、１４６、１５２、１５４、１７６、１７８のうちのいくつかからガスサンプルを排出させるために、バルブ制御モジュール２７８およびポンプ制御モジュール２８０の動作を調整する。さらに、サンプリング制御モジュール２７４は、試験スケジュールの様々な試験段階中においてパージガスをサンプル収集器１４４、１４６、１５２、１５４、１７６、１７８のうちのいくつかに送るために、バルブ制御モジュール２７８およびポンプ制御モジュール２８０の動作を調整する。サンプリング制御モジュール２７４は、試験スケジュールの各試験段階がいつ開始していつ終了するのかを決定するために、試験段階状態信号を使用することができる。
【００７９】
以下の説明では、サンプリング制御モジュール２７４は、バルブ１３２，１３６，１４８，１５０，１５６，１５８，１６４，１６６，１７２，１７４，１８６，１８８，１９４，１９６，２０８，２１０，２１２，２１４，２１６，２１８，２３２，２３４，２３６，２３８，２４０，２４２を開閉する。サンプリング制御モジュール２７４は、各バルブの所望の位置（例えば、開または閉）を示す信号２８６をバルブ制御モジュール２７８に出力することによって各バルブを所望の位置とすることができる。また、以下の説明では、サンプリング制御モジュール２７４は、ポンプ１３４，１３８，１６２，１７０，１８４，１９２，２０６，２３０を作動させ停止させる。サンプリング制御モジュール２７４は、各ポンプの所望の状態（例えば、始動または停止）を示す信号２８８をポンプ制御モジュール２７８に出力することによって各ポンプを所望の状態とすることができる。
【００８０】
ここで図３を参照すると、工程３０２で開始されるエンジン１１６始動中の試験スケジュールの期間中および試験スケジュールの試験段階の期間中においてエンジン１１６が始動される前に、サンプル収集器１４４，１４６，１５２，１５４，１７６，１７８へのサンプルガスの流れを制御する方法が示されている。図３の方法は、図２のモジュールに関連して説明されている。しかしながら、図３の方法の工程を実行する特定のモジュールは、以下に述べるものとは異なるものとしてもよく、および／または図３の方法を図２のモジュールとは別々に実施するようにしてもよい。
【００８１】
工程３０４では、サンプリング制御モジュール２７４は、試験スケジュールが開始したかどうかを判定する。サンプリング制御モジュール２７４は、試験スケジュールが試験段階信号で開始したことを、試験スケジュールの最初の試験段階が開始したことを示すと決定することができる。試験スケジュールが開始されていれば、方法は工程３０６へ続く。試験スケジュールが開始されていなければ、サンプリング制御モジュール２７４は、試験スケジュールが開始されているか否かの判断を繰り返し続ける。
【００８２】
工程３０６では、エンジン状態モジュール２７２は、エンジン１１６がオンかオフかを判定する。エンジン１１６が停止している場合、本方法は工程３０８へ進む。そうでない場合は、本方法は工程３１０に続く。
【００８３】
工程３０８では、サンプリング制御モジュール２７４は、試験段階中において希釈排気ガスのサンプルを第１のダーティサンプル収集器１５２に振り向ける。サンプリング制御モジュール２７４は、ダーティ排出バルブ１３６および第１のダーティ充填バルブ１５６を開け、ダーティ排出ポンプ１３８を作動させることによって、希釈排気ガスのサンプルを第１のダーティサンプル収集器１５２に振り向ける。さらに、サンプリング制御モジュール２７４は、試験段階中に、第１のクリーンサンプル収集器１４４、第２のクリーンサンプル収集器１４６、および第２のダーティサンプル収集器１５４への希釈排気ガスの流れを阻止する。サンプリング制御モジュール２７４は、第１のクリーン充填弁１４８、第２のクリーン充填弁１５０、および第２のダーティ充填弁１５８を閉じることによって希釈排気ガス流の阻止を達成する。サンプリング制御モジュール２７４は、クリーン回路１１０への希釈排気ガスの流れを阻止するために、クリーン抽出弁１３２を閉じ、および／またはクリーン抽出ポンプ１３４を停止させることができる。
【００８４】
希釈排気ガスサンプルを第１のダーティサンプル収集器１５２に誘導している間に、サンプリング制御モジュール２７４は、希釈ガスのサンプルを第１の希釈剤サンプル収集器１７６へ誘導するようにしてもよい。サンプリング制御モジュール２７４は、希釈剤抽出弁１８２および第１の希釈剤充填弁１８６を開け、希釈剤抽出ポンプ１８４を作動させることによって希釈ガスサンプルを第１の希釈剤サンプル収集器１７６に振り向ける。さらに、サンプリング制御モジュール２７４は、試験段階中に第２の希釈剤充填弁１８８を閉じることによって第２の希釈剤サンプル収集器１７８への希釈ガスの流れを阻止する。
【００８５】
工程３１２では、サンプリング制御モジュール２７４は試験段階が終了したか否かを判定する。サンプリング制御モジュール２７４は、試験段階がいつ終了したかを判定するために試験段階ステータス信号を用いることができる。試験段階が終了すると、本方法は工程３１４へ続く。そうでなければ、サンプリング制御モジュール２７４は、第１のダーティサンプル収集器１５２への希釈排気ガスサンプルの誘導を続行する。
【００８６】
工程３１４では、サンプリング制御モジュール２７４は、希釈排気ガスを第１のダーティサンプル収集器１５２に振り向けるのを止め、第１のダーティサンプル収集器１５２をパージする。サンプリング制御モジュール２７４は、第１のダーティ充填弁１５６を閉じることにより、希釈排気ガスを第１のダーティサンプル収集器１５２に振り向けるのを停止する。また、サンプリング制御モジュール２７４は、ダーティ抽出弁１３６を閉じてダーティ抽出ポンプ１３８を停止させることができる。また、サンプリング制御モジュール２７４は、第１のダーティサンプル収集器１５２から希釈排気ガスサンプルを排出し、第１のダーティサンプル収集器１５２にパージガスを送り、第１のダーティサンプル収集器１５２からパージガスを排出することにより、第１のダーティサンプル収集器１５２をパージすることができる。
【００８７】
サンプリング制御モジュール２７４は、第１のダーティ通気弁２１６を開けて通気ポンプ２０６を作動させることにより、第１のダーティサンプル収集器１５２から希釈排気ガスサンプルを排出する。所定期間経過後に、サンプリング制御モジュール２７４は、第１のダーティ通気弁２１６を閉じて通気ポンプ２０６を非作動にすることにより、第１のダーティサンプル収集器１５２からの希釈排気ガスサンプルの排出を停止する。サンプリング制御モジュール２７４は、第１のダーティパージ弁２４０を開けてパージポンプ２３０を作動させることにより、第１のダーティサンプル収集器１５２にパージガスを送る。所定期間経過後に、サンプリング制御モジュール２７４は、第１のダーティパージ弁２４０を閉じてパージポンプ２３０を停止することにより、第１のダーティサンプル収集器１５２へのパージガスの送給を停止する。サンプリング制御モジュール２７４は、第１のダーティ通気弁２１６を開けて通気ポンプ２０６を作動させることにより、第１のダーティサンプル収集器１５２からパージガスを排出する。所定期間経過後に、サンプリング制御モジュール２７４は、第１のダーティ通気弁２１６を閉じて通気ポンプ２０６を停止することにより、第１のダーティサンプル収集器１５２からのパージガスの排出を停止する。
【００８８】
第１のダーティサンプル収集器１５２をパージするとき、サンプリング制御モジュール２７４は、希釈排気ガスサンプルを排出する代わりに、第１のダーティサンプル収集器１５２から排出物分析器１１４に希釈排気ガスサンプルを送ることができる。サンプリング制御モジュール２７４は、第１のダーティリード弁１７２を開けてダーティリードポンプ１７０を作動させることにより、第１のダーティサンプル収集器１５２から排出物分析器１１４に希釈排気ガスサンプルを送る。所定期間経過後に、サンプリング制御モジュール２７４は、第１ダーティリード弁１７２を閉じてダーティリードポンプ１７０を停止させることにより、第１ダーティサンプル収集器１５２から排出物分析器１１４への希釈排気ガスサンプルの送給を停止する。
【００８９】
工程３１４において、サンプリング制御モジュール２７４は、第１の希釈剤サンプル収集器１７６への希釈ガスの誘導を停止し、第１の希釈剤サンプル収集器１７６をパージすることができる。サンプリング制御モジュール２７４は、第１の希釈剤充填弁１８６を閉じることにより、希釈ガスを第１の希釈剤サンプル収集器１７６に振り向けるのを停止する。また、サンプリング制御モジュール２７４は、希釈剤抽出弁１８２を閉じて希釈剤抽出ポンプ１８４を停止させることができる。サンプリング制御モジュール２７４は、希釈ガスサンプルを第１の希釈剤サンプル収集器１７６から排出し、パージガスを第１の希釈剤サンプル収集器１７６に送り、パージガスを第１の希釈剤サンプル収集器１７６から排出することによって、第１の希釈剤サンプル収集器１７６をパージすることができる。
【００９０】
サンプリング制御モジュール２７４は、第１の希釈剤通気弁２０８を開けて通気ポンプ２０６を作動させることにより、第１の希釈剤サンプル収集器１７６から希釈ガスサンプルを排出する。所定期間経過後に、サンプリング制御モジュール２７４は、第１の希釈剤通気弁２０８を閉じて通気ポンプ２０６を非作動にすることにより、第１の希釈剤サンプル収集器１７６からの希釈ガスサンプルの排出を停止する。サンプリング制御モジュール２７４は、第１の希釈剤パージ弁２３２を開けてパージポンプ２３０を作動させることにより、パージガスを第１の希釈剤サンプル収集器１７６に送る。所定期間経過後に、サンプリング制御モジュール２７４は、第１の希釈剤パージ弁２３２を閉じてパージポンプ２３０を停止させることにより、第１の希釈剤サンプル収集器１７６へのパージガスの送給を停止する。サンプリング制御モジュール２７４は、第１の希釈剤通気弁２０８を開けて通気ポンプ２０６を作動させることにより、第１の希釈剤サンプル収集器１７６からパージガスを排出する。所定期間経過後に、サンプリング制御モジュール２７４は、第１の希釈剤通気弁２０８を閉じて通気ポンプ２０６を非作動にすることにより、第１の希釈剤サンプル収集器１７６からのパージガスの排出を停止する。
【００９１】
第１の希釈剤サンプル収集器１７６をパージする場合に、サンプリング制御モジュール２７４は、希釈ガスサンプルを排出する代わりに、第１の希釈剤サンプル収集器１７６から排出物分析器１１４ヘ希釈ガスサンプルを送ることができる。サンプリング制御モジュール２７４は、第１の希釈剤リード弁１９４を開けて希釈剤リードポンプ１９２を作動させることにより、第１の希釈剤サンプル収集器１７６から排出物分析器１１４に希釈ガスサンプルを送る。所定期間経過後に、サンプリング制御モジュール２７４は、第１の希釈剤リード弁１９４を閉じて希釈剤リードポンプ１９２を停止することにより、第１の希釈剤サンプル収集器１７６から排出物分析器１１４への希釈ガスサンプルの送給を停止する。
【００９２】
工程３１６では、サンプリング制御モジュール２７４は、最後の試験段階（すなわち、サンプリング制御モジュール２７４が希釈排気ガスサンプルを第１のダーティサンプル収集器１５２に振り向けたときの試験段階）が開始してからエンジン１１６がオンになったか否かを判定する。サンプリング制御モジュール２７４は、エンジン１１６がオンであるかオフであるかを示すエンジン状態モジュール２７２によって出力される信号に基づいて、エンジン１１６がスイッチオンに切り替えられたか否かを判定する。エンジン１１６がスイッチオンされていれば、方法は工程３１０へ続く。エンジン１１６がスイッチオンされていなければ、方法は工程３１８へ続く。
【００９３】
工程３１８では、サンプリング制御モジュール２７４は、試験スケジュールの次の試験段階中において、希釈排気ガスサンプルを第２のダーティサンプル収集器１５４に振り向ける。サンプリング制御モジュール２７４は、ダーティ排出弁１３６および第２のダーティ充填弁１５８を開けてダーティ排出ポンプ１３８を作動させることにより、希釈排気ガスサンプルを第２のダーティサンプル収集器１５４に振り向ける。さらに、サンプリング制御モジュール２７４は、次の試験段階中に、第１のクリーンサンプル収集器１４４、第２のクリーンサンプル収集器１４６、および第１のダーティサンプル収集器１５２への希釈排気ガスの流れを阻止する。サンプリング制御モジュール２７４は、第１のクリーン充填弁１４８、第２の清浄充填弁１５０、および第１のダーティ充填弁１５６を閉じることによって希釈排気ガス流の阻止を達成する。また、サンプリング制御モジュール２７４は、クリーン回路１１０への希釈排気ガスの流れを阻止するために、クリーン抽出弁１３２を閉じ、および／またはクリーン抽出ポンプ１３４を停止させることができる。
【００９４】
希釈排気ガスサンプルを第２のダーティサンプル収集器１５４に誘導している間に、サンプリング制御モジュール２７４は、希釈ガスサンプルを第２の希釈剤サンプル収集器１７８に誘導するようにしてもよい。サンプリング制御モジュール２７４は、希釈剤抽出弁１８２および第２の希釈剤充填弁１８８を開けて希釈剤抽出ポンプ１８４を作動させることにより、希釈ガスサンプルを第２の希釈剤サンプル収集器１７８に誘導する。さらに、サンプリング制御モジュール２７４は、第１の希釈剤充填弁１８６を閉じることによって次の試験段階中に第１の希釈剤サンプル収集器１７６への希釈ガスの流れを阻止する。
【００９５】
工程３２０では、サンプリング制御モジュール２７４は、次の試験段階が終了したか否かを判定する。サンプリング制御モジュール２７４は、試験段階状態信号を用いて、次の試験段階がいつ終了するのかを判定することができる。次の試験段階が終了していれば、方法は工程３２２へ続く。そうでなければ、サンプリング制御モジュール２７４は、第２のダーティサンプル収集器１５４への希釈排気ガスサンプルの誘導を続行する。
【００９６】
工程３２２では、サンプリング制御モジュール２７４は、希釈排気ガスを第２のダーティサンプル収集器１５４に振り向けるのを停止し、第２のダーティサンプル収集器１５４をパージする。サンプリング制御モジュール２７４は、第２のダーティ充填弁１５８を閉じることにより、第２のダーティサンプル収集器１５４への希釈排気ガスの誘導を停止する。また、サンプリング制御モジュール２７４は、ダーティ抽出弁１３６を閉じてダーティ抽出ポンプ１３８を停止させることができる。また、サンプリング制御モジュール２７４は、希釈排気ガスサンプルを第２のダーティサンプル収集器１５４から排出し、パージガスを第２のダーティサンプル収集器１５４に送り、パージガスを第２のダーティサンプル収集器１５４から排出することにより、第２のダーティサンプル収集器１５４をパージすることができる。
【００９７】
サンプリング制御モジュール２７４は、第２のダーティ通気弁２１８を開けて通気ポンプ２０６を作動させることにより、第２のダーティサンプル収集器１５４から希釈排気ガスサンプルを排出する。所定期間経過後に、サンプリング制御モジュール２７４は、第２のダーティ通気弁２１８を閉じて通気ポンプ２０６を停止することにより、第２のダーティサンプル収集器１５４からの希釈排気ガスサンプルの排出を停止する。サンプリング制御モジュール２７４は、第２のダーティパージ弁２４２を開けてパージポンプ２３０を作動させることにより、パージガスを第２のダーティサンプル収集器１５４に送る。所定期間経過後に、サンプリング制御モジュール２７４は、第２のダーティパージ弁２４２を閉じてパージポンプ２３０を停止させることにより、第２のダーティサンプル収集器１５４へのパージガスの送給を停止する。サンプリング制御モジュール２７４は、第２のダーティ通気弁２１８を開けて通気ポンプ２０６を作動させることにより、第２のダーティサンプル収集器１５４からパージガスを排出する。所定期間経過後に、サンプリング制御モジュール２７４は、第２のダーティ通気弁２１８を閉じて通気ポンプ２０６を停止することにより、第２のダーティサンプル収集器１５４からのパージガスの排出を停止する。
【００９８】
第２のダーティサンプル収集器１５４をパージするとき、サンプリング制御モジュール２７４は、希釈排気ガスサンプルを排出する代わりに、第２のダーティサンプル収集器１５４から排出物分析器１１４に希釈排気ガスサンプルを送給することができる。サンプリング制御モジュール２７４は、第２のダーティリード弁１７４を開けてダーティリードポンプ１７０を作動させることにより、希釈排気ガスサンプルを第２のダーティサンプル収集器１５４から排出物分析器１１４に送る。所定期間経過後に、サンプリング制御モジュール２７４は、第２ダーティリード弁１７４を閉じてダーティリードポンプ１７０を停止させることにより、第２ダーティサンプル収集器１５４から排出物分析器１１４への希釈排気ガスサンプルの送給を停止する。
【００９９】
工程３２２では、サンプリング制御モジュール２７４は、希釈ガスを第２の希釈剤サンプル収集器１７８に向けるのを止め、第２の希釈剤サンプル収集器１７８をパージすることもできる。サンプリング制御モジュール２７４は、第２の希釈剤充填弁１８８を閉じることにより、希釈ガスを第２の希釈剤サンプル収集器１７８に振り向けるのを停止する。また、サンプリング制御モジュール２７４は、希釈剤抽出弁１８２を閉じて希釈剤抽出ポンプ１８４を停止させることもできる。サンプリング制御モジュール２７４は、第２の希釈剤サンプル収集器１７８から希釈ガスサンプルを排出し、第２の希釈剤サンプル収集器１７８にパージガスを送り、第２の希釈剤サンプル収集器１７８からパージガスを排出することにより、第２の希釈剤サンプル収集器１７８をパージすることができる。
【０１００】
サンプリング制御モジュール２７４は、第２の希釈剤通気弁２１０を開けて通気ポンプ２０６を作動させることにより、第２の希釈剤サンプル収集器１７８から希釈ガスサンプルを排出する。所定期間経過後に、サンプリング制御モジュール２７４は、第２の希釈剤通気弁２１０を閉じて通気ポンプ２０６を非作動にすることにより、第２の希釈剤サンプル収集器１７８からの希釈ガスサンプルの排出を停止する。サンプリング制御モジュール２７４は、第２希釈剤パージ弁２３４を開けてパージポンプ２３０を作動させることにより、パージガスを第２希釈剤サンプル収集器１７８に送る。所定期間経過後に、サンプリング制御モジュール２７４は、第２の希釈剤パージ弁２３４を閉じてパージポンプ２３０を停止することにより、第２の希釈剤サンプル収集器１７８へのパージガスの送給を停止する。サンプリング制御モジュール２７４は、第２の希釈剤通気弁２１０を開けて通気ポンプ２０６を作動させることにより、第２の希釈剤サンプル収集器１７８からパージガスを排出する。所定期間経過後に、サンプリング制御モジュール２７４は、第２の希釈剤通気弁２１０を閉じて通気ポンプ２０６を非作動にすることにより、第２の希釈剤サンプル収集器１７８からのパージガスの排出を停止する。
【０１０１】
第２の希釈剤サンプル収集器１７８をパージする場合に、サンプリング制御モジュール２７４は、希釈ガスサンプルを排出する代わりに、第２の希釈剤サンプル収集器１７８から排出物分析器１１４に希釈ガスサンプルを送ることができる。サンプリング制御モジュール２７４は、第２の希釈剤リード弁１９６を開けて希釈剤リードポンプ１９２を作動させることにより、第２の希釈剤サンプル収集器１７８から排出物分析器１１４に希釈ガスサンプルを送る。所定期間経過後に、サンプリング制御モジュール２７４は、第２の希釈剤リード弁１９６を閉じて希釈剤リードポンプ１７０を停止させることにより、第２の希釈剤サンプル収集器１７８から排出物分析器１１４への希釈ガスサンプルの送給を停止する。
【０１０２】
工程３２４では、サンプリング制御モジュール２７４は、最後の試験段階（すなわち、サンプリング制御モジュール２７４が希釈排気ガスサンプルを第２のダーティサンプル収集器１５４に誘導したときの試験段階）が開始してからエンジン１１６がスイッチオンになったか否かを判定する。サンプリング制御モジュール２７４は、エンジン１１６がオフであるかオンであるかを示すエンジン状態モジュール２７２によって出力される信号に基づいて、エンジン１１６がスイッチオンに切り替えられたか否かを判定する。エンジン１１６がスイッチオンになっていれば、本方法は工程３１０へ続く。そうでなければ、本方法は工程３０８へ続く。これに関して、本発明方法では、エンジン１１６が始動されるまで、第１のダーティサンプル収集器１５２または第２のダーティサンプル収集器１５２への希釈排気ガスの誘導を続行する。
【０１０３】
工程３１０では、サンプリング制御モジュール２７４は、次の試験段階中に希釈排気ガスサンプルをクリーン回路１１０に振り向ける。より具体的には、サンプリング制御モジュール２７４は、次の試験段階中に、希釈排気ガスサンプルを第１および第２のクリーンサンプル収集器１４４，１４６のうちの一方に振り向ける。工程３２６で、本方法は終了する。図４の方法は、図３の方法と併せて実施することができる。例えば、図４の方法は図３の工程３１０で実行されるようにしてもよい。
【０１０４】
このように図３の方法によれば、サンプリング制御モジュール２７４は、エンジン１１６がスイッチオンされたかどうかに基づいて、排気ガスをダーティ回路１１２に振り向けることからクリーン回路１１０のほうに振り向けることに切り替える。様々な実施態様では、サンプリング制御モジュール２７４は、エンジン１１６が暖かい状態にある場合においてエンジン１１６がスイッチオンされる前に、排気ガスをクリーン回路１１０に振り向けることができる。サンプリング制御モジュール２７４は、エンジン冷却液温度が所定の温度より高いとき、排気温度が所定の温度より高いとき、および／またはエンジン１１６が最後に動作してからの時間量が所定の期間（例えば、３０秒）未満であるときに、エンジン１１６が暖かい状態にあるものと判断することができる。サンプリング制御モジュール２７４は、エンジン１１６が暖かい状態にあると判断した場合に、図４の方法は試験スケジュールの第１の試験段階に対して実行することができるが、図３の方法はその試験スケジュールに対して実行されない場合があり得る。
【０１０５】
サンプリング制御モジュール２７４は、パワートレイン制御モジュールからエンジン冷却液温度に関する情報を受け取ることができる。また、サンプリング制御モジュール２７４は、排気温度センサ２５２から排気温度に関する情報を受け取ることができる。サンプリング制御モジュール２７４は、エンジン状態モジュール２７２からの信号２８４に基づいて、エンジン１１６が最後に動作してからの時間量を追跡するためにタイマーを使用する。
【０１０６】
ここで図４を参照すると、エンジン１１６が始動される試験段階に続く試験段階中においてサンプル収集器１４４，１４６，１５２，１５４，１７６，１７８へのサンプルガスの流れを制御する方法は工程３３２にて開始される。図４の方法は、エンジン１１６の１つ以上の動作条件が正常であるエンジン１１６で生じた排出物の量が以下のことを示しているときにサンプル収集器１４４，１４６，１５２，１５４，１７６，１７８へのサンプルガスの流れを制御するために使用することができる。図４の方法は、図２のモジュールに関連して説明されている。しかしながら、図４の方法の工程を実行する特定のモジュールは、以下に述べるものとは異なるものとすることができ、および／または図４の方法は図２のモジュールとはまったく別に実施することができる。
【０１０７】
工程３３４では、サンプリング制御モジュール２７４は、試験段階中に希釈排気ガスサンプルを第１のクリーンサンプル収集器１４４に振り向ける。サンプリング制御モジュール２７４は、クリーン抽出弁１３２および第１のクリーン充填弁１４８をそれぞれ開けてクリーン抽出ポンプ１３４を作動させることにより、希釈排気ガスサンプルを第１のクリーンサンプル収集器１４４に振り向ける。さらに、サンプリング制御モジュール２７４は、試験段階中において、第２のクリーンサンプル収集器１４６、第１のダーティサンプル収集器１５２、ならびに第２のダーティサンプル収集器１５４への希釈排気ガスの流れを阻止する。サンプリング制御モジュール２７４は、第２のクリーン充填弁１５０、第１のダーティ充填弁１５６、および第２のダーティ充填弁１５８を閉じることによって希釈排気ガス流の阻止を達成する。また、サンプリング制御モジュール２７４は、ダーティ回路１１２への希釈排気ガスの流れを阻止するために、ダーティ抽出弁１３６を閉じ、および／またはダーティ抽出ポンプ１３８を停止させることができる。
【０１０８】
サンプリング制御モジュール２７４は、希釈排気ガスのサンプルを第１のクリーンサンプル収集器１４４に振り向ける一方で、希釈ガスのサンプルを第１の希釈剤サンプル収集器１７６に振り向ける。サンプリング制御モジュール２７４は、希釈剤抽出弁１８２および第１の希釈剤充填弁１８６を開いて希釈剤抽出ポンプ１８４を作動させることにより、希釈ガスサンプルを第１の希釈剤サンプル収集器１７６に振り向ける。さらに、サンプリング制御モジュール２７４は、試験段階中に第２の希釈剤充填弁１８８を閉じることによって第２の希釈剤サンプル収集器１７８への希釈ガスの流れを阻止する。
【０１０９】
工程３３６では、サンプリング制御モジュール２７４は、試験段階が終了したか否かを判定する。サンプリング制御モジュール２７４は、試験段階がいつ終了したかを判定するために試験段階ステータス信号を使用することができる。試験段階が終了していれば、方法は工程３３８へ続く。そうでなければ、サンプリング制御モジュール２７４は、第１のクリーンサンプル収集器１４４への希釈排気ガスサンプルの誘導を続行する。
【０１１０】
工程３３８では、サンプリング制御モジュール２７４は、希釈排気ガスを第１のクリーンサンプル収集器１４４に振り向けるのを止め、第１のクリーンサンプル収集器１４４をパージする。サンプリング制御モジュール２７４は、第１のクリーン充填弁１４８を閉じることにより、第１のクリーンサンプル収集器１４４に希釈排気ガスを振り向けるのを停止する。また、サンプリング制御モジュール２７４は、クリーン抽出弁１３２を閉じてクリーン抽出ポンプ１３４を停止させることができる。サンプリング制御モジュール２７４は、希釈排気ガスサンプルを第１のクリーンサンプル収集器１４４から排出物分析器１１４に送り、パージガスを第１のクリーンサンプル収集器１４４に送り、パージガスを第１のクリーンサンプル収集器１４４から排出することにより、第１のクリーンサンプル収集器１４４をパージすることができる。
【０１１１】
サンプリング制御モジュール２７４は、第１のクリーンリード弁１６４を開けてクリーンリードポンプ１６２を作動させることにより、希釈排気ガスサンプルを第１のクリーンサンプル収集器１４４から排出物分析器１１４に送る。所定期間経過後に、サンプリング制御モジュール２７４は、第１のクリーンリード弁１６４を閉じてクリーンリードポンプ１６２を非作動にすることにより、第１のクリーンサンプル収集器１４４から排出物分析器１１４への希釈排気ガスサンプルの送給を停止する。サンプリング制御モジュール２７４は、第１のクリーンパージ弁２３６を開けてパージポンプ２３０を作動させることにより、パージガスを第１のクリーンサンプル収集器１４４へ送る。所定期間経過後に、サンプリング制御モジュール２７４は、第１のクリーンパージ弁２３６を閉じてパージポンプ２３０を停止することにより、第１のクリーンサンプル収集器１４４へのパージガスの送給を停止する。サンプリング制御モジュール２７４は、第１のクリーン通気弁２１２を開けて通気ポンプ２０６を作動させることにより、第１のクリーンサンプル収集器１４４からパージガスを排出する。所定期間後に、サンプリング制御モジュール２７４は、第１のクリーン通気弁２１２を閉じて通気ポンプ２０６を非作動にすることにより、第１のクリーンサンプル収集器１４４からのパージガスの排出を停止する。
【０１１２】
工程３３８では、サンプリング制御モジュール２７４は、第１の希釈剤サンプル収集器１７６への希釈ガスの誘導を停止し、第１の希釈剤サンプル収集器１７６をパージする。サンプリング制御モジュール２７４は、第１の希釈剤充填弁１８６を閉じることにより、希釈ガスを第１の希釈剤サンプル収集器１７６に振り向けるのを停止する。また、サンプリング制御モジュール２７４は、希釈剤抽出弁１８２を閉じて希釈剤抽出ポンプ１８４を停止させることができる。サンプリング制御モジュール２７４は、希釈ガスサンプルを第１の希釈剤サンプル収集器１７６から排出物分析器１１４に送り、パージガスを第１の希釈剤サンプル収集器１７６に送り、パージガスを第２の希釈剤サンプル収集器１７６から排出することにより、第１の希釈剤サンプル収集器１７６をパージすることができる。
【０１１３】
サンプリング制御モジュール２７４は、第１の希釈剤リード弁１９４を開けて希釈剤リードポンプ１９２を作動させることにより、第１の希釈剤サンプル収集器１７６から排出物分析器１１４へ希釈ガスサンプルを送る。所定期間経過後に、サンプリング制御モジュール２７４は、第１の希釈剤リード弁１９４を閉じて希釈剤リードポンプ１９２を停止することにより、第１の希釈剤サンプル収集器１７６から排出ガス分析器１１４への希釈ガスサンプルの送給を停止する。サンプリング制御モジュール２７４は、第１の希釈剤パージ弁２３２を開けてパージポンプ２３０を作動させることにより、パージガスを第１の希釈剤サンプル収集器１７６に送る。所定期間経過後に、サンプリング制御モジュール２７４は、第１の希釈剤パージ弁２３２を閉じてパージポンプ２３０を停止させることにより、第１の希釈剤サンプル収集器１７６へのパージガスの送給を停止する。サンプリング制御モジュール２７４は、第１の希釈剤通気弁２０８を開けて通気ポンプ２０６を作動させることにより、第１の希釈剤サンプル収集器１７６からパージガスを排出する。所定期間経過後に、サンプリング制御モジュール２７４は、第１の希釈剤通気弁２０８を閉じて通気ポンプ２０６を非作動にすることにより、第１の希釈剤サンプル収集器１７６からのパージガスの排出を停止する。
【０１１４】
工程３４０では、サンプリング制御モジュール２７４は、例えば試験段階状態信号を駆使して試験スケジュール内に他の試験段階が有るか無いかを判定する。試験スケジュールに他の試験段階が有る場合は、本方法は工程３４２へ続く。試験スケジュールに他の試験段階が無い場合は、本方法は工程３４４で終了する。
【０１１５】
工程３４２では、サンプリング制御モジュール２７４は、エンジン１１６の負荷が第１の負荷を超えているか否かを判定する。エンジン負荷が第１の負荷を超えている場合は、エンジン１１６によって生成される排出物の量は、通常よりも多い可能性がある。ここで、第１の負荷は予め定めておくことができる。サンプリング制御モジュール２７４は、エンジン制御モジュールからエンジン負荷に関する情報を受け取ることができる。エンジン負荷が第１の負荷を超えている場合は、本方法は工程３４６へ進む。そうでない場合は、本方法は工程３４８へ続く。
【０１１６】
工程３４８では、サンプリング制御モジュール２７４は、排気温度センサ２５２によって測定された排気温度が第１の温度を超えているか否かを判定する。測定排気温度が第１の温度よりも高い場合は、エンジン１１６で発生した排出物の量は、通常よりも多い可能性がある。第１の温度は予め定めておくことができる。測定排気温度が第１の温度を超えている場合は、本方法は工程３４６へ続く。そうでない場合は、本方法は工程３５０へ続く。
【０１１７】
工程３５０では、サンプリング制御モジュール２７４は、次の試験段階中に希釈排気ガスサンプルを第２のクリーンサンプル収集器１４６に振り向ける。サンプリング制御モジュール２７４は、クリーン抽出弁１３２および第２のクリーン充填弁１５０を開けてクリーン抽出ポンプ１３４を作動させることにより、希釈排気ガスサンプルを第２のクリーンサンプル収集器１４６に振り向ける。また、サンプリング制御モジュール２７４は、第１のクリーン充填弁１４８、第１のダーティ充填弁１５６、および第２のダーティ充填弁１５８を閉じる。
【０１１８】
サンプリング制御モジュール２７４は、希釈排気ガスサンプルを第２のクリーンサンプル収集器１４６に振り向ける一方で、希釈ガスサンプルを第２の希釈剤サンプル収集器１７８に振り向ける。サンプリング制御モジュール２７４は、希釈剤抽出弁１８２および第１の希釈剤充填弁１８６を開けて希釈剤抽出ポンプ１８４を作動させることにより、希釈ガスサンプルを第２の希釈剤サンプル収集器１７８に振り向ける。加えて、サンプリング制御モジュール２７４は、試験段階中に第２の希釈剤充填弁１８８を閉じることによって第２の希釈剤サンプル収集器１７８への希釈ガスの流れを阻止する。
【０１１９】
工程３５２では、サンプリング制御モジュール２７４は、試験段階が終了したか否かを判定する。サンプリング制御モジュール２７４は、試験段階がいつ終了したかを判定するために試験段階ステータス信号を使用することができる。試験段階が終了した場合は、本方法は工程３５４へ続く。試験段階が終了していない場合は、サンプリング制御モジュール２７４は、第２のクリーンサンプル収集器１４６への希釈排気ガスサンプルの誘導を続行する。
【０１２０】
工程３５４では、サンプリング制御モジュール２７４は、希釈排気ガスを第２のクリーンサンプル収集器１４６に振り向けるのを止め、第２のクリーンサンプル収集器１４６をパージする。サンプリング制御モジュール２７４は、第２のクリーン充填弁１５０を閉じることにより、希釈排気ガスを第２のクリーンサンプル収集器１４６に振り向けるのを停止する。また、サンプリング制御モジュール２７４は、クリーン抽出弁１３２を閉じてクリーン抽出ポンプ１３４を停止させることができる。サンプリング制御モジュール２７４は、希釈排気ガスサンプルを第２のクリーンサンプル収集器１４６から排出物分析器１１４へ送り、パージガスを第２のクリーンサンプル収集器１４６へ送り、第２のクリーンサンプル収集器１４６からパージガスを排出することにより、第２のクリーンサンプル収集器１４６をパージする。
【０１２１】
サンプリング制御モジュール２７４は、第２のクリーンリード弁１６６を開けてクリーンリードポンプ１６２を作動させることにより、希釈排気ガスサンプルを第２のクリーンサンプル収集器１４６から排出物分析器１１４へ送る。所定期間経過後に、サンプリング制御モジュール２７４は、第２のクリーンリード弁１６６を閉じてクリーンリードポンプ１６２を非作動にすることにより、第２のクリーンサンプル収集器１４６からの排出物分析器１１４への希釈排気ガスサンプルの送給を停止する。サンプリング制御モジュール２７４は、第２のクリーンパージ弁２３８を開けてパージポンプ２３０を作動させることにより、第２のクリーンサンプル収集器１４６にパージガスを送る。所定期間経過後に、サンプリング制御モジュール２７４は、第２のクリーンパージ弁２３８を閉じてパージポンプ２３０を停止させることにより、第２のクリーンサンプル収集器１４６へのパージガスの送給を停止する。サンプリング制御モジュール２７４は、第２のクリーン通気弁２１４を開けて通気ポンプ２０６を作動させることにより、第２のクリーンサンプル収集器１４６からパージガスを排出する。所定期間経過後に、サンプリング制御モジュール２７４は、第２のクリーン通気弁２１４を閉じて通気ポンプ２０６を非作動にすることにより、第２のクリーンサンプル収集器１４６からのパージガスの排出を停止する。
【０１２２】
工程３５４では、サンプリング制御モジュール２７４は、希釈ガスを第２の希釈剤サンプル収集器１７８に振り向けるのを止め、第２の希釈剤サンプル収集器１７８をパージする。サンプリング制御モジュール２７４は、第２の希釈剤充填弁１８８を閉じることにより、希釈ガスを第２の希釈剤サンプル収集器１７８に振り向けるのを停止する。また、サンプリング制御モジュール２７４は、希釈剤抽出弁１８２を閉じて希釈剤抽出ポンプ１８４を停止させることもできる。サンプリング制御モジュール２７４は、希釈ガスサンプルを第２の希釈剤サンプル収集器１７８から排出物分析器１１４に送り、パージガスを第２の希釈剤サンプル収集器１７８に送り、パージガスを第２の希釈剤サンプル収集器１７８から排出することにより、第２の希釈剤サンプル収集器１７８をパージすることができる。
【０１２３】
サンプリング制御モジュール２７４は、第２の希釈剤リード弁１９６を開けて希釈剤リードポンプ１９２を作動させることにより、第２の希釈剤サンプル収集器１７８から排出物分析器１１４に希釈ガスサンプルを送る。所定期間経過後に、サンプリング制御モジュール２７４は、第２の希釈剤リード弁１９６を閉じて希釈剤リードポンプ１９２を非作動とすることにより、第２の希釈剤サンプル収集器１７８から排出物分析器１１４への希釈ガスサンプルの送給を停止する。サンプリング制御モジュール２７４は、第２の希釈剤パージ弁２３４を開けてパージポンプ２３０を作動させることにより、パージガスを第２の希釈剤サンプル収集器１７８に送る。所定期間経過後に、サンプリング制御モジュール２７４は、第２の希釈剤パージ弁２３４を閉じてパージポンプ２３０を停止することにより、第２の希釈剤サンプル収集器１７８へのパージガスの送給を停止する。サンプリング制御モジュール２７４は、第２の希釈剤通気弁２１０を開けて通気ポンプ２０６を作動させることにより、第２の希釈剤サンプル収集器１７８からパージガスを排出する。所定期間経過後に、サンプリング制御モジュール２７４は、第２の希釈剤通気弁２１０を閉じて通気ポンプ２０６を非作動とすることにより、第２の希釈剤サンプル収集器１７８からのパージガスの排出を停止する。
【０１２４】
工程３５６では、サンプリング制御モジュール２７４は、例えば試験段階状態信号を駆使して試験スケジュール内に他の試験段階が有るか無いかを判定する。試験スケジュールに他の試験段階が有る場合は、本方法は工程３５８へ続く。試験スケジュールに他の試験段階が無い場合は、本方法は工程３４４で終了する。
【０１２５】
工程３５８では、サンプリング制御モジュール２７４は、エンジン１１６の負荷が第１の負荷を超えているか否かを判定する。エンジン負荷が第１の負荷を超えている場合は、本方法は工程３４６へ続く。そうではない場合は、本方法は工程３６０へ続く。
【０１２６】
工程３６０では、サンプリング制御モジュール２７４は、排気温度センサ２５２によって測定された排気温度が第１の温度を超えているか否かを判定する。測定排気温度が第１の温度を超えている場合は、本方法は工程３４６へ続く。そうでない場合は、本方法は工程３３４へ続く。この点に関して、本方法は、エンジン負荷が第１の負荷よりも大きいか、または測定排気温度が第１の温度よりも高いか、または試験スケジュールが終了するまで、希釈排気ガスを第１のクリーンサンプル収集器１４４または第２のクリーンサンプル収集器１４４に誘導し続ける。
【０１２７】
工程３４６では、サンプリング制御モジュール２７４は、次の試験段階中に希釈排気ガスサンプルをダーティ回路１１２に振り向ける。より具体的には、サンプリング制御モジュール２７４は、次の試験段階中において、希釈排気ガスサンプルを第１および第２のダーティサンプル収集器１５２，１５４のうちの一方に振り向ける。図５の方法は、図４の方法と併せて実施することができる。例えば、図４の工程３４６において図５の方法を実行することができる。
【０１２８】
ここで図５を参照すると、エンジン１１６が始動される試験段階の後に続く試験段階中において、サンプル収集器１４４，１４６，１５２，１５４，１７６，１７８へのサンプルガスの流れを制御するための他の方法は工程３６２で開始される。図５の方法は、エンジン１１６の１つ以上の運転条件が通常よりも大きいエンジン１１６によって生じる排出物の量を示す場合に、サンプル収集器１４４，１４６，１５２，１５４，１７６，１７８へのサンプルガスの流れを制御するために使用することができる。図５の方法は、図２のモジュールに関連して説明されている。しかしながら、図５の方法の工程を実行する特定のモジュールは、以下に述べるものとは異なるものとすることができ、および／または図２のモジュールとは切り離して別に図５の方法を実施することができる。
【０１２９】
工程３６４では、サンプリング制御モジュール２７４は、試験段階中に希釈排気ガスのサンプルを第１のダーティサンプル収集器１５２に振り向ける。サンプリング制御モジュール２７４は、ダーティ排出弁１３６および第１のダーティ充填弁１５６を開けてダーティ排出ポンプ１３８を作動させることにより、希釈排気ガスサンプルを第１のダーティサンプル収集器１５２に振り向ける。さらに、サンプリング制御モジュール２７４は、試験段階中において、第１のクリーンサンプル収集器１４４、第２のクリーンサンプル収集器１４６、および第２のダーティサンプル収集器１５４への希釈排気ガスの流れを阻止する。サンプリング制御モジュール２７４は、第１のクリーン充填弁１４８、第２のクリーン充填弁１５０、および第２のダーティ充填弁１５８をそれぞれ閉じることによって希釈排気ガス流の阻止を達成する。また、サンプリング制御モジュール２７４は、クリーン回路１１０への希釈排気ガスの流れを阻止するために、クリーン抽出弁１３２を閉じ、および／またはクリーン抽出ポンプ１３４を停止させることができる。
【０１３０】
第１のダーティサンプル収集器１５２への希釈排気ガスサンプルの誘導中において、サンプリング制御モジュール２７４は、希釈ガスサンプルを第１の希釈剤サンプル収集器１７６に振り向けることもできる。サンプリング制御モジュール２７４は、希釈剤抽出弁１８２および第１の希釈剤充填弁１８６を開けて希釈剤抽出ポンプ１８４を作動させることにより、希釈ガスサンプルを第１の希釈剤サンプル収集器１７６に振り向ける。さらに、サンプリング制御モジュール２７４は、試験段階中に第２の希釈剤充填弁１８８を閉じることにより、第２の希釈剤サンプル収集器１７８への希釈ガスの流れを阻止する。
【０１３１】
工程３６６では、サンプリング制御モジュール２７４は試験段階が終了したか否かを判定する。サンプリング制御モジュール２７４は、試験段階がいつ終了したのかを判定するために試験段階ステータス信号を利用することができる。試験段階が終了すると、本方法は工程３６８へ進む。試験段階が終了していない場合は、サンプリング制御モジュール２７４は、第１のダーティサンプル収集器１５２への希釈排気ガスサンプルの誘導を続行する。
【０１３２】
工程３６８では、サンプリング制御モジュール２７４は、第１のダーティサンプル収集器１５２への希釈排気ガスの誘導を停止して、第１のダーティサンプル収集器１５２をパージする。サンプリング制御モジュール２７４は、第１のダーティ充填弁１５６を閉じることにより、希釈排気ガスを第１のダーティサンプル収集器１５２に誘導するのを止める。また、サンプリング制御モジュール２７４は、ダーティ抽出弁１３６を閉じてダーティ抽出ポンプ１３８を停止させてもよい。サンプリング制御モジュール２７４は、希釈排気ガスサンプルを排出し（または希釈排気ガスサンプルを排出物分析器１１４に送り）、パージガスを第１のダーティサンプル収集器１５２に送り、パージガスを第１のダーティサンプル収集器１５２から排出する。
【０１３３】
工程３６８では、サンプリング制御モジュール２７４は、第１の希釈剤サンプル収集器１７６への希釈ガスの誘導を停止して、第１の希釈剤サンプル収集器１７６をパージすることもできる。サンプリング制御モジュール２７４は、第１の希釈剤充填弁１８６を閉じることにより、希釈ガスを第１の希釈剤サンプル収集器１７６に振り向けるのを停止する。また、サンプリング制御モジュール２７４は、希釈剤抽出弁１８２を閉じて希釈剤抽出ポンプ１８４を停止させることができる。サンプリング制御モジュール２７４は、希釈ガスサンプルを排出し（またはサンプルを排出物分析器１１４に送り）、パージガスを第１の希釈剤サンプル収集器１７６に送り、パージガスを第１の希釈剤サンプル収集器１７６に排出することにより、第１の希釈剤サンプル収集器１７６をパージすることができる。
【０１３４】
サンプリング制御モジュール２７４は、第１の希釈剤通気弁２０８を開けて通気ポンプ２０６を作動させることにより、第１の希釈剤サンプル収集器１７６から希釈ガスサンプルを排出する。所定期間経過後に、サンプリング制御モジュール２７４は、第１の希釈剤通気弁２０８を閉じて通気ポンプ２０６を非作動とすることにより、第１の希釈剤サンプル収集器１７６からの希釈ガスサンプルの排出を停止する。サンプリング制御モジュール２７４は、第１の希釈剤パージバルブ２３２を開けてパージポンプ２３０を作動させることにより、パージガスを第１の希釈剤サンプル収集器１７６に送る。所定期間経過後に、サンプリング制御モジュール２７４は、第１の希釈剤パージ弁２３２を閉じてパージポンプ２３０を停止させることにより、第１の希釈剤サンプル収集器１７６へのパージガスの送給を停止する。サンプリング制御モジュール２７４は、第１の希釈剤通気弁２０８を開けて通気ポンプ２０６を作動させることにより、第１の希釈剤サンプル収集器１７６からパージガスを排出する。所定期間経過後に、サンプリング制御モジュール２７４は、第１の希釈剤通気弁２０８を閉じて通気ポンプ２０６を非作動にすることにより、第１の希釈剤サンプル収集器１７６からのパージガスの排出を停止する。
【０１３５】
第１の希釈剤サンプル収集器１７６をパージするとき、サンプリング制御モジュール２７４は、希釈ガスサンプルを排出する代わりに、第１の希釈剤サンプル収集器１７６から排出物分析器１１４に希釈ガスサンプルを送ることができる。サンプリング制御モジュール２７４は、第１の希釈剤リード弁１９４を開けて希釈剤リードポンプ１９２を作動させることにより、第１の希釈剤サンプル収集器１７６から排出物分析器１１４に希釈ガスサンプルを送る。所定期間経過後に、サンプリング制御モジュール２７４は、第１の希釈剤リードバルブ１９４を閉じて希釈剤リードポンプ１７０を停止することにより、第１の希釈剤サンプル収集器１７６から排出物分析器１１４への希釈ガスサンプルの送給を停止する。
【０１３６】
工程３７０では、サンプリング制御モジュール２７４は、例えば試験段階状態信号を駆使して試験スケジュール内に他の試験段階があるか否かを判定する。試験スケジュール内に他の試験段階がある場合は、本方法は工程３７２へ続く。そうでない場合は、本方法は工程３７４で終了する。
【０１３７】
工程３７２では、サンプリング制御モジュール２７４は、エンジン１１６の負荷が第１の負荷未満であるか否かを判定する。エンジン負荷が第１の負荷未満である場合は、本方法は工程３７８へ続く。そうでない場合は、本方法は工程３７６へ続く。
【０１３８】
工程３７８では、サンプリング制御モジュール２７４は、排気温度センサ２５２によって測定された排気温度が第１の温度未満であるか否かを判定する。測定排気温度が第１の温度未満である場合は、本方法は工程３８０へ続く。そうでない場合は、本方法は工程３７６へ続く。
【０１３９】
工程３７６では、サンプリング制御モジュール２７４は、試験スケジュールの次の試験段階中において、希釈排気ガスサンプルを第２のダーティサンプル収集器１５４に振り向ける。サンプリング制御モジュール２７４は、ダーティ排出弁１３６および第２のダーティ充填弁１５８を開けてダーティ排出ポンプ１３８を作動させることにより、希釈排気ガスサンプルを第２のダーティサンプル収集器１５４に振り向ける。さらに、サンプリング制御モジュール２７４は、次の試験段階中において、第１のクリーンサンプル収集器１４４、第２のクリーンサンプル収集器１４６、および第１のダーティサンプル収集器１５２への希釈排ガスの流れを阻止する。サンプリング制御モジュール２７４は、第１のクリーン充填弁１４８、第２のクリーン充填弁１５０、および第１のダーティ充填弁１５６をそれぞれ閉じて、希釈排ガス流の阻止を達成する。サンプリング制御モジュール２７４は、クリーン回路１１０への希釈排気ガス流を阻止するために、クリーン抽出弁１３２を閉じ、および／またはクリーン抽出ポンプ１３４を停止させることもできる。
【０１４０】
第２のダーティサンプル収集器１５４への希釈排気ガスサンプルの誘導中において、サンプリング制御モジュール２７４は、希釈ガスサンプルを第２の希釈剤サンプル収集器１７８に振り向けてもよい。サンプリング制御モジュール２７４は、希釈剤抽出弁１８２および第２の希釈剤充填弁１８８を開けて希釈剤抽出ポンプ１８４を作動させることにより、希釈ガスサンプルを第２の希釈剤サンプル収集器１７８に振り向ける。さらに、サンプリング制御モジュール２７４は、第１の希釈剤充填弁１８６を閉じることにより、次の試験段階中に第１の希釈剤サンプル収集器１７６への希釈ガスの流れを阻止する。
【０１４１】
工程３８２では、サンプリング制御モジュール２７４は、次の試験段階が終了したか否かを判定する。サンプリング制御モジュール２７４は、試験段階状態信号を駆使して次の試験段階がいつ終了するのかを判定することができる。次の試験段階が終了すると、本方法は工程３８４へ続く。そうでない場合は、サンプリング制御モジュール２７４は、第２のダーティサンプル収集器１５４への希釈排気ガスサンプルの振り向けを続行する。
【０１４２】
工程３８４では、サンプリング制御モジュール２７４は、希釈排気ガスを第２のダーティサンプル収集器１５４に振り向けるのを止め、第２のダーティサンプル収集器１５４をパージする。サンプリング制御モジュール２７４は、第２のダーティ充填弁１５８を閉じることにより、希釈排気ガスを第２のダーティサンプル収集器１５４に振り向けるのを停止する。また、サンプリング制御モジュール２７４は、ダーティ抽出弁１３６を閉じてダーティ抽出ポンプ１３８を停止させることもできる。サンプリング制御モジュール２７４は、希釈排気ガスサンプルを排出し（または希釈排気ガスサンプルを排出物分析器１１４に送り）、パージガスを第２のダーティサンプル収集器１５４に送り、パージガスを第２のダーティサンプル収集器１５４から排出することにより、第２のダーティサンプル収集器１５４をパージすることができる。
【０１４３】
工程３８４では、サンプリング制御モジュール２７４は、希釈ガスを第２の希釈剤サンプル収集器１７８に振り向けることを止めて、第２の希釈剤サンプル収集器１７８をパージすることができる。サンプリング制御モジュール２７４は、第２の希釈剤充填弁１８８を閉じることにより、希釈ガスを第２の希釈剤サンプル収集器１７８に振り向けるのを停止する。また、サンプリング制御モジュール２７４は、希釈剤抽出弁１８２を閉じて希釈剤抽出ポンプ１８４を停止させることもできる。サンプリング制御モジュール２７４は、希釈ガスサンプルを排出し（または希釈ガスサンプルを排出物分析器１１４に送り）、パージガスを第２の希釈剤サンプル収集器１７８に送り、パージガスを第２の希釈剤サンプル収集器１７８に排出することにより第２の希釈剤サンプル収集器１７８をパージすることもできる。
【０１４４】
工程３８６では、サンプリング制御モジュール２７４は、例えば試験段階状態信号を駆使して試験スケジュール内に他の試験段階があるか否かを判定する。試験スケジュール内に他の試験段階がある場合は、本方法は工程３８８へ続く。そうでない場合は、本方法は工程３７４で終了する。
【０１４５】
工程３８８では、サンプリング制御モジュール２７４は、エンジン１１６の負荷が第１の負荷未満であるか否かを判定する。エンジン負荷が第１の負荷未満である場合は、本方法は工程３９０へ続く。そうでない場合は、本方法は工程３６４へ続く。
【０１４６】
工程３７８では、サンプリング制御モジュール２７４は、排気温度センサ２５２によって測定された排気温度が第１の温度未満であるか否かを判定する。測定排気温度が第１の温度未満である場合は、本方法は工程３８０へ続く。そうでない場合は、本方法は工程３６４へ続く。この点に関して、本方法は、エンジン負荷が第１の負荷未満になるまで、または測定排気温度が第１の温度未満になるまで、または試験スケジュールが終了するまで、第１のダーティサンプル収集器１５２または第２のダーティサンプル収集器１５４への希釈排気ガスの誘導を続行する。
【０１４７】
工程３８０では、サンプリング制御モジュール２７４は、次の試験段階中において希釈排気ガスサンプルをクリーン回路１１０に振り向ける。より具体的には、サンプリング制御モジュール２７４は、次の試験段階中において、希釈排気ガスサンプルを第１および第２のクリーンサンプル収集器１４４，１４６のうちの一方に振り向ける。例えば、図４の方法は図５の工程３８０で実行されてもよい。
【０１４８】
このようにして、図４および図５の方法では、サンプリング制御モジュール２７４は、エンジン負荷および／または排気温度に応じて、排気ガスをクリーン回路１１０に導くことと排気ガスをダーティ回路１１２に導くこととの間で切り替える。エンジン負荷および／または排気温度に加えて又はその代わりに、他の車両運転条件を利用することができる。例えば、サンプリング制御モジュール２７４は、エンジン１１６が所定期間オンになるまで、排気ガスをダーティ回路１１２に振り向けることができる。次いで、サンプリング制御モジュール２７４は、前記所定期間が終了する試験段階の後の各試験段階中において、排気ガスをクリーン回路１１０に振り向けることができる。
【０１４９】
他の例では、サンプリング制御モジュール２７４は、電気モータ（図示せず）に電力を供給するバッテリ（図示せず）の充電状態に基づいて、排気ガスをクリーン回路１１０に振り向けることと排気ガスをダーティ回路１１２に振り向けることとの間で切り替えることができる。例えば、エンジン状態モジュール２７２は、バッテリの充電状態が所定値よりも小さいときにエンジン１１６が始動しようとしていると予測することができる。次に、サンプリング制御モジュール２７４は、エンジン１１６が始動しようとするまで排気ガスをクリーン回路１１０に振り向けることができ、その時点でサンプリング制御モジュール２７４は排気ガスをダーティ回路１１２に振り向けることができる。一例では、サンプリング制御モジュール２７４は、バッテリの充電状態が所定値より小さくなる試験段階の前回の各試験段階中において、排気ガスをクリーン回路１１０に振り向ける。次いで、サンプリング制御モジュール２７４は、バッテリ充電状態が所定値を下回る試験段階後の試験段階中に、およびその後の各試験段階中において、エンジン１１６が始動されるまで、排気ガスをダーティ回路１１２に振り向ける。
【０１５０】
また、サンプリング制御モジュール２７４は、診断トラブルコード（ＤＴＣ）が設定されているか、または故障表示灯（ＭＩＬ）が作動しているかに基づいて、排気ガスをクリーン回路１１０に振り向けることと排気ガスをダーティ回路１１２に振り向けることとを切り替える。例えば、サンプリング制御モジュール２７４は、ＤＴＣが設定されたとき、またはＭＩＬが起動されたときに、クリーン回路１１０への排気ガスの誘導を停止させ、ダーティ回路１１２への排気ガスの誘導を開始させることができる。
【０１５１】
図３、図４、図５の方法はすべて、単一の試験スケジュール中に実行することができる。例えば、試験スケジュールが５つの段階を有する場合では、エンジン１１６は第２段階中に始動され、エンジン１１６の負荷は第３段階中に第１の負荷よりも大きくなり、エンジン負荷は第４段階中に第１の負荷よりも小さくすることができる。このようにして、図３の方法によれば、サンプリング制御モジュール２７４は、第１段階中に排気ガスを第１のダーティサンプル収集器１５２に導き、第２段階中に第２のダーティサンプル収集器１５４に排気ガスを誘導し、次いで、第３段階中に排気ガスをクリーン回路１１０に誘導する。また、図４の方法によれば、サンプリング制御モジュール２７４は、第３段階中に排気ガスを第１のクリーンサンプル収集器１４４に誘導し、次いで第４段階中に再び排気ガスをダーティ回路１１２に誘導するように切り替えることができる。さらに、図５の方法によれば、サンプリング制御モジュール２７４は、第４段階中に排気ガスを第１のダーティサンプル収集器１５２に誘導し、次いで第５段階中に再び排気ガスをクリーン回路１１０に誘導するように切り替えることができる。
【０１５２】
上述の説明は、本質的に例示的なものであり、本開示、その用途、または使用を限定することを意図するものではない。本開示の広範な教示は様々な形態で実施することができる。したがって、本開示は特定の例を含むものではあるが、図面、明細書、および添付の特許請求の範囲を検討すれば他の修正が明らかになるので、開示の真の範囲はそのように限定されるべきではない。本開示の原理を変更することなく、方法内の１つまたは複数のステップを異なる順序で（または同時に）実行できることが理解されるであろう。さらに、各実施形態は特定の特徴を有するものとして上記に説明されているが、本開示の任意の実施形態に関して説明されたこれらの特徴のうちの任意の１つ以上は他の実施形態の特徴において組み合わせることができる。その組み合わせは明示的には説明されていない。換言すれば、記載された実施形態は相互に排他的ではなく、１つ以上の実施形態の互いの置換は、本開示の範囲内にとどまる。
【０１５３】
要素間（例えば、モジュール間、回路要素間、半導体層間など）の空間的および機能的関係は、「接続」、「接続」、「結合」、「隣接」、「隣」、「隣」などの種々の用語を用いて説明される。「直接的」であると明示的に記載されていない限り、第１要素と第２要素との間の関係が上記の開示に記載されている場合に、その関係は第１要素と第２要素との間に他の介在要素が存在しない直接的な関係であり得るが、第１要素と第２要素との間に（空間的または機能的に）１つ以上の介在要素が存在する間接的な関係でもあり得る。本明細書中で用いられる場合に、Ａ、Ｂ、およびＣのうちの少なくとも１つの句は、非排他的論理ＯＲを使用して、論理（ＡまたはＢまたはＣ）を意味すると解釈されるべきであり、「Ａの少なくとも１つ、Ｂの少なくとも１つ、およびＣの少なくとも１つ」を意味すると解釈されるべきではない。
【０１５４】
図中にて、矢印で示されるように、矢印の方向は、概して、図にとって重要な情報（データまたは命令など）の流れを示す。例えば、要素Ａと要素Ｂが種々の情報を交換するが、要素Ａから要素Ｂに送信された情報が図に関連する場合、矢印は要素Ａから要素Ｂを指してもよい。この一方向の矢印は、他の情報が要素Ａから要素Ｂに送信されないことを意味するものではない。さらに、要素Ａから要素Ｂに送信された情報に対して、要素Ｂは、その情報に対する要求またはその受信確認を要素Ａに送信することができる。
【０１５５】
以下の定義を含む本出願では、「モジュール」または「コントローラ」の用語は「回路」の用語に置き換えられてもよい。ここで「モジュール」という用語は、デジタル、アナログ、またはアナログ／デジタル混合ディスクリート回路；デジタル、アナログ、またはアナログ／デジタル混合集積回路；組み合わせ論理回路；フィールドプログラマブルゲートアレイ（ＦＰＧＡ）；コードを実行するプロセッサ回路（共有、専用、またはグループ）；プロセッサ回路によって実行されるコードを記憶するメモリ回路（共有、専用、またはグループ）；記載された機能を提供する他の適切なハードウェアコンポーネント；あるいはシステムオンチップなどにおける上記のいくつかまたはすべての組み合わせを指すか、またはその一部であるか、またはそれらを含むものであることができる。
【０１５６】
モジュールは、１つ以上のインターフェース回路を含むことができる。いくつかの例では、インターフェース回路は、ローカルエリアネットワーク（ＬＡＮ）、インターネット、ワイドエリアネットワーク（ＷＡＮ）、またはそれらの組み合わせに接続されている有線または無線インターフェースを含むことができる。本開示の任意の所与のモジュール機能は、インターフェース回路を介して接続されている複数のモジュール間で分散させることができる。例えば、複数のモジュールが負荷分散を可能にすることができる。さらなる例では、サーバ（リモート、またはクラウドとしても知られる）モジュールは、クライアントモジュールに代わっていくつかの機能を達成することができる。
【０１５７】
コードという用語は、上記で使用されているように、ソフトウェア、ファームウェア、および／またはマイクロコードを含むことができ、プログラム、ルーチン、機能、クラス、データ構造、および／またはオブジェクトを指すことができる。共有プロセッサ回路という用語は、複数のモジュールからのコードの一部または全部を実行する単一のプロセッサ回路を包含する。グループプロセッサ回路という用語は、追加のプロセッサ回路と組み合わせて、１つまたは複数のモジュールからのいくつかまたはすべてのコードを実行するプロセッサ回路を包含する。マルチプロセッサ回路に関しては、個別のダイ上のマルチプロセッサ回路、単一のダイ上のマルチプロセッサ回路、単一のプロセッサ回路のマルチコア、単一のプロセッサ回路のマルチスレッド、またはこれらの組み合わせを包含する。共有メモリ回路という用語は、複数のモジュールからのコードの一部または全部を格納する単一のメモリ回路を包含する。グループメモリ回路という用語は、追加のメモリと組み合わせて、１つまたは複数のモジュールからのいくつかまたはすべてのコードを記憶するメモリ回路を包含する。
【０１５８】
メモリ回路という用語は、コンピュータ可読媒体という用語のサブセットである。本明細書で用いられるコンピュータ可読媒体という用語は、（搬送波上などの）媒体を通って伝播する一時的な電気信号または電磁信号を含まない。非一時的で有形のコンピュータ可読媒体の非限定的な例は、不揮発性メモリ回路（フラッシュメモリ回路、消去可能プログラマブル読み取り専用メモリ回路、またはマスク読み取り専用メモリ回路など）、揮発性メモリ回路（スタティックランダムアクセスメモリ回路またはダイナミックランダムアクセスメモリ回路など）、磁気記憶媒体（アナログまたはデジタル磁気テープまたはハードディスクドライブなど）、および光記憶媒体（ＣＤ、ＤＶＤ、またはブルーレイディスクなど）である。
【０１５９】
本願に記載されている装置および方法は、コンピュータプログラムで具現化された１つまたは複数の特定の機能を実行するように汎用コンピュータを構成することによって作成された特殊用途コンピュータによって部分的または完全に実施することができる。上述した機能ブロック、フローチャート構成要素、および他の要素は、当業者またはプログラマの日常業務によってコンピュータプログラムに変換することができるソフトウェア仕様として役立つ。
【０１６０】
コンピュータプログラムは、少なくとも１つの一時的でない有形のコンピュータ可読媒体に格納されているプロセッサ実行可能命令を含む。また、コンピュータプログラムは、格納されたデータを含むかまたはそれに依存することができる。コンピュータプログラムは、特殊用途コンピュータのハードウェアと相互作用する基本入出力システム（ＢＩＯＳ）、特殊用途コンピュータの特定の装置と相互作用するデバイスドライバ、１つ以上のオペレーティングシステム、ユーザアプリケーション、バックグラウンドサービス、バックグラウンドアプリケーションなどを含むことができる。
【０１６１】
コンピュータプログラムは、（ｉ）ＨＴＭＬ（ハイパーテキストマークアップ言語）、ＸＭＬ（拡張マークアップ言語）、またはＪＳＯＮ（ジャバスクリプト・オブジェクト表記）などの解析されるべき記述テキスト、（ｉｉ）アセンブリコード、（ｉｉｉ）コンパイラによるソースコードから生成されたオブジェクトコード、（iv）インタプリタによる実行のためのソースコード、（v）コンパイルおよびジャストインタイムコンパイラによる実行のためのソースコードなどを含むことができる。ソースコードは、単なる例として、C、C ++、C♯、Objective-C、Swift、Haskell、Go、SQL、R、Lisp、Java（登録商標）、Fortran、Perl、Pascal、Curl、OCaml、Javascript（登録商標）、HTML5（ハイパーテキストマークアップ言語の改訂第５版）、Ada、ASP（アクティブサーバーページ）、PHP（PHP：ハイパーテキストプリプロセッサ）、Scala、Eiffel、Smalltalk、Erlang、Ruby、Flash（登録商標）、Visual Basic（登録商標）、Lua、MATLAB、SIMULINK、およびPython（登録商標）などの言語の構文を用いて記述することができる。
【符号の説明】
【０１６２】
100…試験システム、102…希釈トンネル、104…上流側送風機（ブロワ）、106…下流側送風機（ブロワ）、108…希釈剤回路、110…クリーン回路、112…ダーティ回路、114…分析器、116…エンジン、
124…クリーンサンプルプローブ、128…ダーティサンプルプローブ、134…クリーン抽出ポンプ、138…ダーティ抽出ポンプ、144,146…クリーンサンプル収集器（クリーン収集器、クリーンコレクタ）、152,154…ダーティサンプル収集器（ダーティ収集器、ダーティコレクタ）、162…クリーンリードポンプ、170…ダーティリードポンプ、176,178…希釈剤サンプル収集器、184…希釈剤抽出ポンプ、192…希釈剤リードポンプ、
206…通気ポンプ、226…パージガス源、230…パージポンプ、
250…試験システム制御モジュール、252…排気温度センサ、254…排気圧力センサ、256…希釈ガス流量計、258…希釈排気流量計、260…希釈剤サンプル流量計、262…クリーンサンプル流量計、264…ダーティサンプル流量計、270…排気流量モジュール、272…エンジン状態モジュール、274…サンプリング制御モジュール、276…ブロワ制御モジュール、278…バルブ制御モジュール、280…ポンプ制御モジュール
【図１】
2020003491.tif 000003
【図２】
2020003491.tif 000004
【図３】
2020003491.tif 000005
【図４】
2020003491.tif 000006
【図５】
2020003491.tif 000007
【外国語明細書】
2020003491000001.pdf